(57)【要約】【課題】宇宙の基礎エネルギ源を利用し、冷媒を使用しない冷房装置の開発を課題とする。【解決手段】本発明は、大気圏の空気の流れのエネルギは、空気の質量と、大気圧と、宇宙の3次元万有引力基礎エネルギ源の場とが構成する平衡流動エネルギであり複合波動エネルギである第2種永久運動であると説明する新しい第2世代の自然科学に基づいています。この空気の流れの複合波動エネルギの第2種永久運動を、回転により、発生・維持・作用させる回転羽根３を同軸に内蔵する圧縮部1内に吸引した室温の空気を、流路の形と、回転羽根３の回転とによる自由圧縮で、温度を変えないで圧縮・昇圧し、膨張部２で、前述の圧縮・昇圧した空気を、圧力と流路の形と流れ跡空間埋め合わせ現象とで断熱膨張させ、熱エネルギを運動エネルギに変え、温度を下げて、排出・冷房する冷房装置です。【選択図】図1
2009144941.tif 000002
【特許請求の範囲】
【請求項１】
本発明は、従来の第1世代の自然科学が、従来の常識に基づいて、否定する、第2種永久運動と、これを構成する宇宙の基礎エネルギ源とを利用する冷房装置ですが、この請求項の７頁までを読めば、従来の常識による上記の否定が間違いである事に気付き、全文を読めば、本発明と第2種永久運動と新しい第2世代の自然科学とを利用出来ます。尚、第2世代の自然科学が世の中に普及していた場合の本発明の説明を「発明を実施するための最良の形態」の欄の最後の項に記載してあります。
宇宙の観測出来る部分の数学解析である従来の第1世代の自然科学の知られていない欠陥に気付いて、観測不可能な、又は、数学解析不可能な物象を解析する後述の解析手法を使いこなして、第2種永久運動をしている宇宙の総てを解析出来る後述の新しい第2世代の自然科学を進歩・発展させ、広い範囲で人為的な第2種永久運動を実用化し、エネルギ問題、地球温暖化問題を解決して、人類と地球とを、豊かで、平和で、幸せにするには、この請求項の冒頭に記載されている、宇宙の観測出来る部分と観測出来ない部分とを数学を使わないで解析する「新しい解析手法」と、この解析手法を試行・確立・実用化して、観測出来ないが宇宙に充満して3次元方向に釣り合う「場」を構成し、この場に、宇宙で発生する総ての物象の変化に対応する「場の歪み量（これが、アインシュタインの間違っている「時空の歪み」の正体です。）」を可逆的に発生・消滅させ、この「場の歪み量」をその物象の「エネルギ」として供給し、宇宙の総ての物質・エネルギ・現象を第2種永久運動にする最小複合粒子と約３６種類の宇宙の構成要素と宇宙の基礎エネルギ源の場とを発見し、これ等の自然法則を構成・使用して、宇宙の総てを解析・利用出来る「第2世代の自然科学」との活用が必要です。
しかし、双方の全体を理解するのは内容が広過ぎ膨大過ぎて困難なので、双方を正しいと信じて、先ず、上記の解析手法を理解・使用し、信じる事にした新しい第2世代の自然科学を参考にして、各自が自分の自然科学の得意分野における観測不可能な部分を解析して各自の第2世代の自然科学を構成し、それが正しい事と、参考にした新しい第2世代の自然科学との一致とを確認しながら実用し、双方に必要な修正・整合を行って、各自の第2世代の自然科学の範囲を拡げ、大学毎に、研究所毎に、企業毎に、個人毎に、更には、国を挙げて、これ等の成果を集約・体系付けて、活用する組織を造り、これを活用する文化が必要です。
従来の第1世代の自然科学と、新しい第2世代の自然科学とは、構成と、利用方法と、効果とが、全く異なるので、大学、研究所、企業、個人、国は、第2世代の自然科学に適した新体制を、新しい解析手法をより早く実用する事により、より早く、理解し、実現する必要があります。
数学の機能の限界・偏りに気付かずに数学を過信している従来の第1世代の自然科学の研究は、数学で武装された象牙の塔で行われており、素人にはアンタッチャブルであるままに、内部の人も、外部の人も、難解・高級な研究が合理的に行われていると思っています。
しかし、第2世代の自然科学の経験に基づいて、数学解析の本質から判断すると、数学は、量の変化を扱いますが、宇宙の自然現象は、総てが、宇宙の各位置毎に、独立して、別個に、存在し、3次元方向に釣り合った状態で、総量を変化させずに作用する平衡流動エネルギで構成されています。第1世代の自然科学が、宇宙を複雑・怪奇に考え過ぎて、その本質を解析出来ずにいる原因は、量の変化が無い宇宙の自然現象を、量の変化を扱う数学で解析している事が大きな一因であると判断します。
この判断によると、数学で武装された象牙の塔に入って研究する事は、実際には、3次元方向に釣り合っていて、総量を変化させずに、3次元方向に釣り合った状態で流動して、可逆的な歪み量を発生し、量の変化ではなく、その歪み量を、エネルギとして作用させている平衡流動エネルギが構成する自然現象を、量の変化を扱う数学で解析する事になります。これでは、自然現象を正しく解析出来ません。更に、数学は、球形は、現象を数式化しようとしても、中心部に無限小・無限大が存在するので数式化出来ない、従って、数式化出来ない球形定常宇宙は存在しない、宇宙の形状は、一方向に変化していると主張しています。しかし、実際には、後述のように、宇宙は、球形定常宇宙であり、宇宙の総ては、3次元方向に釣り合って作用する平衡流動エネルギで、変化しないで、成り立っています。この考え方で、後述のように、宇宙の総てを、単純・必然的に・統一して説明出来ます。これに対して、第1世代の自然科学は、平衡流動エネルギの存在と、これを構成・使用する方法とを知らないので、これまでの人為現象は、総てが、一方向に変化する不平衡エネルギになっています。その延長として、平衡流動エネルギである自然現象を不平衡エネルギであると誤解して扱っています。例外として、自然現象でも、本発明が使用する熱は、後述のように、独立した調整用エネルギ系の不平衡エネルギであり、平衡流動エネルギに存在する逆流、循環現象がありません。第2世代の自然科学の解析では、熱は、最小複合粒子、宇宙の構成要素、宇宙の基礎エネルギ源などによる第2種永久運動の作用結果として発生するエネルギの差、又は、作用の抵抗損失を、全宇宙のエネルギの平衡を乱す事なしに処理する為に用意された調整機構（最小複合粒子の自転）が、不平衡分を蓄積した結果であり、熱現象は、調整機構（最小複合粒子の自転）に蓄積された熱エネルギが、一方向に作用して消費される現象です。即ち、エネルギ源の作用結果の不一致分の調整機構に蓄積された熱は、不平衡エネルギであり、当然、逆流・循環しないので、第2種永久運動を構成出来ません。この事を、第1世代の自然科学の熱力学の第2法則が、エネルギ源の直接の作用である平衡流動エネルギによる平衡状態が維持された現象にまで適用する事は間違いです。不平衡エネルギは、一方向に変化しながら作用し、逆流・循環がありません。自然現象の平衡流動エネルギは、3次元方向に釣り合って存在し、3次元方向に釣り合った状態で流動して作用するので、逆流（作用・反作用で起きる基本的な性質なので、実験で簡単に確認出来ます。）・循環が可能であり、第2種永久運動も構成出来ます。従って、熱現象と人為現象では、数学が有効ですが、自然現象では、一つの物象について、左辺・右辺で物理的単位を変える（微分・積分するだけ。）だけの基本的な自然法則を除いて、数学は、通用しないのです。従って、第1世代の自然科学の研究は、数学により、自然現象の森の最も重要な木が隠されて視えなくなる、象牙の塔に閉じ篭もって行っている事になります。社会的には、難解・高級な研究を合理的に行っているとの尊敬を受けながら、誰にも煩わされない状態で研究を楽しめています。結構な事です。しかし、実態は、数学に隠されて真実が視��ない象牙の塔の中から、遠く離れた自然現象の森を眺め、本発明者の様な、素人には信じられない、幻影の木を実態と誤認し、更に、これを切り刻んで、分け合って、数学で解析して、意味不明で不合理な研究をしている事になります。
第1世代の自然科学は、この事実に気付いて、日本文化的に、森（宇宙）と感覚的に一体になって、森（宇宙）を解析している素人が創出した第2世代の自然科学（数学を使用しない新しい解析手法と、最小複合粒子と、約３６種類の宇宙の構成要素と、宇宙の基礎エネルギ源とを使用して、素粒子物理学、宇宙物理学、流体力学を主体に、自然科学の全分野を、書き換え中です。書き換え終えたのは、宇宙の根源的な部分が主体で、一般的な部分は、未だ一部です。それも、定性的な解析であり、定量的な解析は出来ていません。仕事は、無限にあり、急速に、進歩・発展します。日本を代表する物は、富士山・芸者・・家電・自動車から、自然科学になります。）にリセットするべきです。リセットすれば、自己の得意分野における自然の観測出来る部分の観測結果の蓄積を活用して、その得意分野の観測不可能な部分の解析に大きな成果を得られます。本発明者は、定年後の素人のサラリーマンですが、それでも、約７０年間で、独りで、第2世代の自然科学を、現在のレベルにしました。専門家が、組織的に行えば、目覚しい進歩・発展が可能です。
ニュートンが創出して以来、４００年近くが経過した、第1世代の自然科学は、その役割を立派に果たし終えています。自然科学を０から発達させるには、自己主張が強い西洋文化の影響を受けて、人間の主体性を満足させて（観測結果の数学解析は、人間が観測出来る物しか存在を認めないと言う意味で、人間の主体性を満足させます。自然科学の解説書を読むと、自らの主体性を満足させる事が、自然科学者のバックボーンになっています。但し、これは、真の宇宙を、観測出来る部分だけの宇宙に、置き換えての研究になります。）、自然現象を扱える、観測結果の数学解析が、必要・最適です。この場合、観測結果を使用する事で、自然を主体にしているとの判断がありますが、観測結果は、人間の主観による観測結果であり、観測し易い物象の場合は良いが、主要部分が観測し難い物象の場合は、データが不足し、その不足を埋める為に、人間の主観の塊になる事が多いのです。判り易い実例は、アインシュタインの相対性理論です。この理論は、彼が言う思考実験に基づく人間の主観の塊になっています。彼は、主観の塊である思考実験により、真空が、宇宙の総てを構成するエネルギと機能とを有するとしています。そして、観測結果の数学解析の決定的な欠陥は、宇宙の観測出来ない部分を、取り扱え無い事です。従って、第1世代の自然科学は、２１世紀で、第2世代の自然科学に、引き継いで、定年退職です。
第2世代の自然科学は、自己主張が無く、物事を相手の立場で考え、見掛けにこだわらず、本質を悟る事にこだわる、即ち、自然の本質を、自然と一体になり、自然の立場で考えて、悟ろうとする日本文化に基づいています。日本文化に基づく前述・後述の第2世代の自然科学の解析手法は、自然科学を０から発展させる事は出来ませんが、２１世紀に、第1世代の自然科学を引き継ぐのには、最適です。第2世代の自然科学は、宇宙の総てを、単純・必然的に・統一して解析する最も客観的・民主的な自然科学です。第2世代の自然科学は、日本文化が、１５０年を掛けて、西洋文化と融合した自然科学であり、更に、他の文化と融合して、全人類と地球とを、豊かで、平和で、幸せにする事を目標にしています。国際社会での第2世代の自然科学の推進は、国際社会の平和を求めて、第2世代の自然科学と同様に物的証拠の有無で悩まされた経験がある米国、英国と同盟を組んで、国連での同意を受けて行う予定です。
尚、宇宙の自然現象を解析していると、宇宙は、宇宙の各位置の「自立」と、全体の「共生」とが、宇宙の最優先基本法則である「完全分業体制・完全談合体制・争い０体制」に基づいて、完全無欠に、行われています。国際社会でも、国連でも、この自立・共生が基本になります。日本でも、他称・豪腕政治家が、以前から、正しいルールの確立・遵守が、国際社会の信頼と安定をもたらし、自立・共生が、国際社会の基本になると主張されておられ、第2世代の自然科学の判断・手法・目的に一致します。
物の本によると、１７世紀に発表されたニュートンの自然科学に基づいて産業革命を興し、世界を制覇し始めていた１８世紀頃の英国では、女性も自然科学に興味を持ち、女性社会においても、自然科学が話題になり、自然科学の知識を持っている事が、教養ある女性の条件の一つになり、自然科学の解説書が競って読まれていたとの事です。これは、その国を、資源ではなく、科学・技術で立国させるには、自然科学者、技術者のみに頼らず、国を挙げて科学・技術を推進・発展させる機運を醸成する文化が必要だと言う事を示します。
第2世代の自然科学は、自然科学の分野に限らず、国際社会でも、紛争の全当事者と国際社会全体（国連）とが、共に、その紛争地域の生活改善に努力を集中させる事を条件にして、これまでは調整不能の歴史的紛争を棚上げして（この条件で、紛争当事者の行動で、棚上げに失敗すれば、その紛争は、何度、調整しても、永久に、解決しません。国際社会は、調停不可能ですから、その紛争地域からの永久撤退を考えるべきです。）、総ての紛争を解消出来る様に、永久不変の宇宙を維持する宇宙の法則に準じた、自然で強力で公平で普遍的な基本理念と、具体的な手法と、実施に必要なエネルギ源と、推進に必要なパワーと、調整を続け得る条件とを揃えて提案・推進し、これ等の総合効果で、人類と地球とを、豊かで、平和で、幸せにする事を、目標にしています。これ等に関しては、特願２００６−１３２０の発明の効果の欄に、その詳細が、記載されています。これ等は、本発明者のライフワークです。
本発明者は、宇宙の観測出来ない部分を解析し、宇宙は、最小複合粒子が充満する、球形定常宇宙であり、宇宙の総てが第2種永久運動である事を解析し、これ等の解析が正しい事を証明し、宇宙の観測出来ない部分に存在する宇宙の基礎エネルギ源の場を発見し、発見した宇宙の基礎エネルギ源の場を利用して人為的な第2種永久運動を構成・利用する手法を確立した、第2世代の自然科学を、２００５年１１月に創出しました。本発明の根拠であるこの第2世代の自然科学を、次に、説明します。この範囲を理解すれば、本発明を実施出来ます。
国際社会に、これ等を、広く話題にして、科学・技術的にも、社会的にも、積極的に採り入れる文化があれば、全人類と地球とを、豊かで、平和で、幸せにする、ただ一度で、2度と無い、チャンスを、活かせます。ただ一度しか無いと思いますので、この文化を理解・普及させる努力が必要です。
（１）第2世代の自然科学が使用する手法の説明：
１）宇宙の観測出来ない部分の構成・理論を解析する手法：
宇宙の観測出来ない部分でも、下記手法の組み合わせにより、正しく、洩れなく        、
完全に解析出来ます。
１  宇宙の総ての物質・エネルギ・現象の最も根源的な構成・理論を、下記２、３        と組み合わせて、解析します。自然科学では、最も根源的な事を、正しく、洩れ        なく解析する事を先行させるのが、総ての基本です。根源的な事は、例えば、将        棋や囲碁における大局観です。相手より多くの手を読めても、どの手を選ぶかを        正しく決める大局観が無ければ、勝負は負けです。根源的な事が判らなければ、        種々の方向付けが存在する自然科学の各論を正しく解析出来ません。
従来は、根源的な事を先行させるのは、不可能とされていますが、宇宙は、単        純・必然的に・統一して構成されているので、全宇宙を対象にして考え、その一        部分でも、解析出来、その解析が正しい事を確認出来れば、その後の作業は容易        になります。但し、下記２、３との組み合せ作業が必要条件であり、膨大な作業        が必要です。本発明者は、後述のように、７０年近くを費やして、これを、完成        させています。一度、解析されれば、その後は、それを信じて利用出来るので、        簡単です。但し、利用には、経験が必要です。
２  第2世代の自然科学の創出では、個々の物象の構成・理論を、本発明者の知識        ・経験で解析しました。人間は、一人一人が、自分独自の自然科学を持っている        のです。私の場合は、この知識・経験は、旧制高校の理科系の教科書が基本にな        っています。これ等は、今、読み直しても、驚く位に、丁寧に、広い範囲が書か        れています。そして、森を良く見て、木を見るように書かれています。この場合        、忘れてはならないのは、境界条件の偏りによる観測結果の偏りを修正して使用        する事です。これを忘れると、如何に頑張っても、駄目です。
この場合、個々の物象としては、全宇宙に拡がって、総ての現象に、共通に存        在・作用している、質量、電荷、静電気、素粒子の容積、万有引力、万有斥力、        光、電磁波、電界、磁界、電流、電圧、電力、自転、熱、力、圧力、不平衡エネ        ルギ、平衡流動エネルギ、波動エネルギ、複合波動エネルギ、宇宙の基礎エネル        ギ源の場、第2種永久運動、原子内核力、原子間結合力、研究したい新しい物象        などの宇宙の総ての物象を考えました。宇宙の総ての解析が必要です。
経験では、考える範囲が広がるに従って、宇宙の総てが、単純・必然的に・統        一して構成されている事が判り、作業が、より早く、より正しくなりました。そ        して、これ等の総てを比較・検討すれば、これ等の物象の観測出来ない部分を、        総て、正しく、感知・思考・理解・構成・実用出来ます。
しかし、これ等を纏めた第2世代の自然科学が、実用出来るようになったのは        、上記の質量から始めて原子間結合力までが揃い、それ等の理論・構成が、１０        ０％正しく、漏れが無くなってからです。
第2世代の自然科学は、宇宙の自然現象の第2種永久運動のエネルギ機構を、
人為的に模倣して、人為現象の第2種永久運動を実現・利用するのが目的の自然        科学ですから、構成・理論が１００％正しくないと、役に立たないのです。９９        パーセントでは、０％と同じになります。即ち、実験を繰り返して、正解を詰め        て行く事が出来ず、実験が役に立たないのです。理論が１００％完成するまでは        、実験結果が、理論と乖離するのです。これが、人類が、これまで、第2世代の        自然科学に取り組めなかった理由です。但し、約３６種類の宇宙の構成要素の夫        々が単独で行える基本機能は、それを予測しながら実験すれば、境界条件が全部        揃っていなくても、実験で確認出来ます。この事が無ければ、第2世代の自然科        学の創出は、不可能でした。そして、この基本機能は、第2世代の自然科学のレ        ベルが低い時には解析出来ませんが、レベルが向上すると、次第に、解析出来る        ようになりました。
第2世代の自然科学を創出するには、膨大な、時間と、努力とが必要であり、        出来ると信じて、出来るまで、頑張るしか、対応策がありませんでした。
これに対して、従来の第1世代の自然科学の場合には、理論が間違っていても        、実験で修正して、実用できる解を得る事が出来ます。この感覚で、第2世代の        自然科学に取り組むと、第2世代の自然科学を、使いこなせません。取り組み方        で、天国と地獄との差が出来ます。前述の様に、使いこなせる自分自身の第2世        代の自然科学を身に付ける事が必要です。
その代わりに、第2世代の自然科学は、理論研究の段階で、実験無しに、任意        の物象の構成・理論の全体の正解を得る事が出来ます。本発明が、その実例です        。効果は大きいが、使いこなせる経験と実力とが必要なのです。その為に、本発        明者自身も、上記の質量から原子間結合力までの解析を済ます迄は、経験・実力        不足で、実用出来なかったのです。
３  上記１、２を、並行して、クロスチェックしながら研究します。これが可能な        のは、宇宙の総てが、単純・必然的に・統一して構成されているからです。
この研究が纏まれば、全宇宙が、ミクロの世界と、マクロの世界とを含めて、        どの様にして、第2種永久運動として発生・維持・消滅を繰り返しているか、地        球上で、生物が、どの様にして、発生し、進化するか等の推定が出来ます。又、        宇宙の総てが、宇宙の基礎エネルギ源からエネルギを供給される第2種永久運動        である事、宇宙の基礎エネルギ源が変化を残す事なく可逆的にエネルギを供給で        きる機構などが判ります。上記を理解すれば、人為的に、第2種永久運動機関を        構成・使用出来ます。宇宙の総てを理解し、宇宙の総てを人為的に構成・利用出        来ます。従って、何処まで実施するか、何処に規制を設けるかを、早い時期に、        決定して置く必要があります。
２）上記の手法による解析が正しい事の証明：
上記は宇宙の観測出来ない部分の解析ですから、その解析を説明する物的証拠が      ありません。従って、その解析が正しい事の証明は、 「１」その解析が、宇宙の
総てを統一して説明出来る事と、「２」その解析が、広い範囲で新分野・新技術の
開発に実用出来る事とで行はれます。
上記で構成される第2世代の自然科学は、任意の物象の構成・理論の感知、理解      、構成、実用の4作業を一体化して、正しい事を確認しながら研究している事に
なります。この事は、膨大であり総てに関連性がある第2世代の自然科学に、間違
いを混入させない必須事項です。前述の自分自身の第2世代の自然科学に間違いが
混入すると、収拾がつかなくなります。本発明者の経験では、第2世代の自然科学  
を使用する事は、前述のように、自分自身の第2世代の自然科学を育て上げて、そ
れを使用する事になります。育て方の適否が、成功・不成功を分けます。
３）上記の手法を採用する第2世代の自然科学の現状：
本発明者は、上記の経験があるので、日本の何処かに、例えば、本発明者の母校      である大阪大学（又は、万博跡）に、今後、最先端の第2世代の自然科学の成果が      、総て、自動的に集約され活用される後継体制を造る必要があると考えています。      これが、日本が、第2世代の自然科学において、世界の中心であり続ける為の条件      です。
１  上記の結果を纏めて、２００５年１１月に、第2世代の自然科学を創出しまし        た。しかし、未だ、未完成部分があったので、世間への紹介を行っていません。        最近になって、多少は、修正・整合するべき所が残ってはいるが、基本的には正        しい事を確認出来たので、母校の大阪大学と、科学・技術界とに、後継体制を造        って貰うために、前述・後述のように、紹介し始めました。
２  現状では、 「１」最小複合粒子の構造・組成・機能の仮定と、「２」約３６
種類の宇宙の構成要素の構成・理論の仮定と、「３」宇宙の基礎エネルギ源の構
成・理論の仮定と、「４」宇宙の根源的な構成・理論の仮定と、「５」質量から
原子間結合力までの構成・理論の仮定と、「６」これ迄の経験の蓄積とを、実用
して、自然界の任意の物象と、人為現象の任意の物象とを、これ等の物象の、観
測出来る部分の観測データが揃っていれば、観測出来ない部分の構成・理論を、
正しく、感知・思考・理解・構成・実用出来ます。
４）数学の過信：
１  第1世代の自然科学は、数学を過信し、数学を、自然現象より上位に置いてい        ます。そして、数学的な表現が無い自然法則は、認めないとしています。しかし        、第2世代の自然科学の経験では、数学は、宇宙の物質・エネルギ・現象の作用        前、作用中、作用後の一部を表現出来るが、これ等の総てを同時に表現する機能        を持っていません。従って、数学は、数学解析で、自然法則を検討するには、機        能不足であり、数学解析による自然法則には、機能が不足する所に、構成要素と        その機能の脱落を発生します。
数学の正しい使用方法は、人間の頭脳で体系付けが済んだ、自然現象、人為現        象の構成・理論を、数式化する事であると思います。
２  数学の過信による大きな間違いの一つは、実際は、球形定常宇宙である宇宙を        、第1世代の自然科学の数学が、球形宇宙の中心では、寸法・密度が、無限小・        無限大になり、数式化出来ず、数学的に破綻していると言う理由で、球形ではな        いと仮定している事です。実際には、球形定常宇宙に充満する最小複合粒子が、        無限小・無限大にならない程度まで、収縮して原子に融合し、縮小出来る限界ま        で縮小して、そこで、ビッグバンを繰り返しています。この現象は、不平衡エネ        ルギでは説明出来ませんが、平衡流動エネルギでは、単純・必然的に・統一して        説明出来ます。第2世代の自然科学は、第1世代の自然科学では説明できない事    
で構成されています。
第2世代の自然科学は、宇宙は、球形定常宇宙であり、これに、最小複合粒子        が充満していると仮定します。前述・後述の様に、球形の宇宙は、その中心部で        、圧縮作用があることを巧みに利用して、宇宙の物質の総てを、単純・必然的に        ・統一して圧縮・融合しています。若し、宇宙が球形でないと、宇宙は、圧縮作        用を失って、存在し得ません。地球、太陽などの天体は球形です。それなのに、        宇宙は球形ではないと言う、根拠が判りません。無限小・無限大があって数式が        作れないから、球形宇宙が存在しないと言う論理は、成立しません。それは、最        小複合粒子が充満している球形定常宇宙の中心部では、球形宇宙の圧縮力により        、最小複合粒子が収縮して各種の原子に融合して、巨大な原子の塊を造り、無限        小・無限大の限界で一次ビッグバンを繰り返して、総ての天体を造り、ビッグバ        ンで出来た天体は、４次ビッグバンまで行って、宇宙の天体の分布を構成し、宇        宙の外周に向かって飛行し、宇宙の中心から外周に向かってエネルギ密度が低下        する事により、運動エネルギを一定に維持する為に、加速しながら飛行し、最小        複合粒子が無くなる宇宙の外周に到達すると、核力を失って、天体は、総てが、        最小複合粒子に分裂し、時間を掛けて、宇宙の中心に戻る事などの、宇宙構成に        必須の多くの現象が可能な事を、人間の頭脳で考えれば、更に詳細まで、直ぐに        判ります。
５）観測結果の数学解析を使用する事による最大の欠陥：
最小複合粒子の脱落が、最大の欠陥です。第1世代の自然科学は、観測結果の数      学解析を自然法則にしています。この手法では、直接には観測出来ない最小複合粒      子を脱落させます。最小複合粒子は、第1世代の自然科学では、ダークマターとし      て認識されています。そして、第1世代の自然科学がダークマターを認識出来るの      は、最小複合粒子が、自己の温度に対応して発生している電磁波の観測結果のみで      す。そして、ダークマターの重要性を認識しながら、ダークマターの本質を検討す      る動きがありません。それは、ダークマターを解析出来る理論が無いからです。そ      の結果として、宇宙の総てを構成する下記の最小複合粒子を脱落している第1世代      の自然科学には、宇宙の本質を解析出来る可能性は０です。
（２）宇宙空間には、観測結果の数学解析に基づく従来の第1世代の自然科学が知らない      、
最小複合粒子が充満しています。
１）宇宙には、「１」直接には観測出来ない最小複合粒子が充満しており、この最小
複合粒子が、「２」約３６種類の宇宙の構成要素と、その中で特に重要な「３」宇
宙の基礎エネルギ源の場とを構成しています。
１  第2世代の自然科学では、宇宙の自然界の総ての物質・エネルギ・現象は、上        記の 「１」、「２」、「３」で構成され、宇宙全体で3次元方向に釣り合ってい
る平衡流動エネルギであり複合波動エネルギである第2種永久運動です。そし
て、宇宙の総ての質量が個々に有するエネルギは、その質量に存在するのではな
く、その質量が存在する位置の宇宙の基礎エネルギ源の場に発生する場の歪み量
に存在します。この事は、宇宙が、如何なる現象が発生・消滅しても、3次元方
向の釣り合いが狂わず、変化が残らず、且つ、永久不変である為に、必要であ
り、この事があれば、自動的に、宇宙は、永久不変になります。
「１」観測結果を数学解析する従来の第1世代の自然科学では、上記 「１」、
「２」、「３」の存在を知らないので、その流体力学、素粒子物理学、宇宙
物理学では、理論と実態とが乖離しており、対策が判らない状態です。
「２」宇宙の基礎エネルギ源の場は、人類には観測できませんが、3次元方向に
釣り合って全宇宙空間に充満しています。基礎エネルギ源の場は、エネルギ
供給の対象になる質量の加速度運動に対応して場の歪み量を発生し、この歪
み量を、加速度運動している質量に運動エネルギとして供給します。この歪
み量は、変化を残すことなく、各位置毎に、独立して、別個に、発生・作
用・消滅するので、宇宙の総ての物象は変化を残す事なく繰り返される第2種
永久運動です。          
「３」約３６種類の宇宙の構成要素は、3次元方向に釣り合う事により、宇宙の
基礎エネルギ源の場が作用する境界条件を構成します。宇宙の構成要素の中
には、自然法則も含まれています。
（３）空気の場合：
第2世代の自然科学は膨大なので、本発明に関係する空気の場合のみを説明します      。
１）空気が、オープン空間で、全宇宙と３次元方向に釣り合った状態で、平衡流動エ        ネルギであり複合波動エネルギである第2種永久運動として、流れる場合：
１  関係する宇宙の構成要素が、総て、空気の流れに伴って、全宇宙と3次元方向        に釣り合っています。
２  特に、大気圧、又は、広い意味の万有引力と、宇宙の3次元万有引力基礎エネ        ルギ源の場とが、流れ跡空間埋め合わせ現象による空気の流れに伴って、全宇宙        と3次元方向に釣り合っています。
３  空気の流れ跡空間埋め合わせ現象が、大気圧、又は、広い意味の万有引力と、        宇宙の3次元万有引力基礎エネルギ源の場とをエネルギ源として、空気を、3次          元方向に釣り合った状態で、平衡流動エネルギであり複合波動エネルギである第        2種永久運動として流れさせます。即ち、自然界の空気の流れは、流れ跡空間埋        め合わせ現象と、広い意味の万有引力と、宇宙の3次元万有引力基礎エネルギ源        の場とで構成される上記の第2種永久運動であり、これを発生、維持・作用させ        る境界条件は、関係する宇宙の構成要素が、総て、空気の流れに伴って、全宇宙        と3次元方向に釣り合っている事です。
４  この場合、空気の流れに加速度があれば、宇宙の3次元万有引力基礎エネルギ        源の場は、直接に、空気の加速度に対応して場の歪み量を発生し、この歪み量を        、空気の運動エネルギとして供給します。
５  空気の流れが等速度であれば、宇宙の3次元万有引力基礎エネルギ源の場は、        流れ跡空間埋め合わせ現象と、広い意味の万有引力と組んで、空気の流れに回転        運動を加える様に作用して、その等速度を、流れ方向のｓｉｎ相と、回転方向の        ｃｏｓ相とに分解し、夫々の加速度運動に対して、場の歪み量を発生し、これを        、加速度のエネルギとして供給します。
２）空気が、第1世代の自然科学の流体機器内を、圧力差で、流れる場合：
第1世代の自然科学の流体機器では、宇宙の3次元万有引力基礎エネルギ源の場  
を作用させる宇宙の構成要素が、空気の流れに伴って、流体気機内で、3次元方向      に釣り合うように構成されていません。従って、従来の流体機器内では、宇宙の3
次元万有引力基礎エネルギ源の場が、流れ跡空間埋め合わせ現象と万有引力と組ん
で、平衡流動エネルギであり複合波動エネルギである第2種永久運動を発生・維
持・作用させる現象は、発生しません。
空気は、圧力差で、上流側から押されて流れます。
３）空気が、第2世代の自然科学の流体機器内を、3次元方向に釣り合った状態で、        平衡流動エネルギであり複合波動エネルギである第2種永久運動として、流れる        場合：
１  関係する宇宙の構成要素が、総て、空気の流れに伴って、流体機器内で、3次        元方向に釣り合っています。即ち、流体機器内で、「第2種永久運動の独立性」        が確立しています。小宇宙が、自立しています。
２  機器内には、流体機器内の空気を流して流れ跡空間埋め合わせ現象を発生させ        て、流体機器内で、大気圧、又は、広い意味の万有引力と、宇宙の3次元万有引        力基礎エネルギ源とを、3次元方向に釣り合わせる作用を有する回転羽根が、必        ず、存在します。
３  この回転羽根が発生・維持する流れ跡空間埋め合わせ現象は、流れの軸方向に        垂直な各断面の総てにおいて、独立して、別個に、空気の一定質量の流れを発生        ・維持し、この流れを、軸方向のｓｉｎ相と、回転方向のｃｏｓ相との2相の波        動エネルギを複合した複合波動エネルギであり平衡流動エネルギである第2種永        久運動の空気の流れに構成します。
４  上記の１、２、３により、第2世代の自然科学の流体機器は、空気の平衡流動        エネルギであり複合波動エネルギである第2種永久運動の流れを構成・使用出来        ます。本発明は、その一例です。
（４）上記が正しい事の証明：
既存の第1世代の自然科学が間違っている事を説明して、その証明の一部にしま
す。
１）ニュートンの自然法則の欠陥と、その原因・修正・整合：
１  欠陥：
ニュートンの自然法則は、数学解析の結果、又は、考えた結果など、結果で、        表現されているので、現象の最終段階で、存在して観測される、又は、考えの対        象になる、質量、力、加速度、慣性、作用・反作用、万有引力で構成されおり、        現象の作用段階での作用機構と、観測出来ない最小複合粒子、約３６種類の宇宙        の構成要素、宇宙の基礎エネルギ源などが含まれていません。
２  欠陥の原因：
その原因は、第2世代の自然科学が発見した、宇宙に充満しているが観測出来
ない最小複合粒子と、観測出来ない最小複合粒子が構成する約３６種類の宇宙の        構成要素と、最小複合粒子が構成する宇宙の基礎エネルギ源とが、観測結果に含        まれないからです。
言い換えると、これ等の欠陥は、宇宙の観測出来ない部分の構成・理論を、人        間の頭脳で考える事を、放棄している事です。ニュートンが、慣性の法則や作用        ・反作用の法則の創出で、その当時の科学技術レベルでは、限界まで行っている        頭脳で考える事を、後世の人が放棄している事です。ニュートンが行った事の中        で、数学解析だけを引き継いで、頭脳で考える事を、放棄している事です。頭脳        で考える事は、観測出来る部分のみを考えると、意味の無い事ですが、観測出来        ない部分を考えると、第2世代の自然科学に繋がります。宇宙では、人間が観測        出来ない部分に、主役が隠れて居るのです。
３  欠陥の修正・整合、正しい事の確認：
宇宙の観測出来ない部分の構成・理論を、人間の頭脳で考えた場合に、客観性        を保てないと言うのが、人間の頭脳で考えなかった理由です。
第2世代の自然科学は、人間の頭脳で考えた自然法則が正しい事の証明を、そ        の自然法則が、ミクロの世界とマクロの世界とを含めた宇宙の総てを統一して説        明出来る事と、その自然法則が、広い範囲で、新分野・新技術の開発に実用出来        る事とで行っています。
実際には、既存の第2世代の自然科学の物象の構成・理論と、研究対象の物象        の構成・理論との統一性の確認を含めた、感知作業、理解作業、構成作業、実用        作業の4作業を一体化して、正しい事を確認しながら、行っています、
２）アインシュタインの一般相対性理論の長所と欠陥：
１  長所：
一般相対性理論は、万有引力の作用中の状態を数学解析しています。その結果
、第2世代の自然科学の力の作用機構の新しい法則である「一般的な力の作用速
度と被作用質量との相対性」の法則を、万有引力に関して、満たしています。即
ち、ニュートンの万有引力の法則において被作用質量の速度が速くなると、力の        作用量が減少する事で発生する計算誤差が０になります。この事が、ニュートン        の万有引力の法則より、一般相対性理論の計算精度が高い理由です。
考え方によれば、アインシュタインの一般相対性理論の実態は、「万有引力の          作用に関する力の作用速度と被作用質量との相対性」になります。
第2世代の自然科学の「力の作用速度と被作用質量との相対性」は、作用速度        がＵ≧Ｖである、ＵとＶとを、同時に同じ方向に作用させても、ＵとＶとは、独        立して、別個にしか作用しないと言う事です。その結果、Ｖは作用しないと言う        事です。これは、最重要法則の一つです。この法則は、後述の説明にある本発明        者の子供の時の滑り台遊びの現象に存在します。要するに、何事でも、苦労を厭        わずに、広い範囲を関連付けて、考えれば、判るのです。
２  欠陥：
「１」  アインシュタインは、宇宙を真の真空としているが、宇宙空間には、          最小複合粒子が充満しています。従って、アインシュタインの一般相対性理論          は、最小複合粒子の構造・組成・機能と、約３６種類の宇宙の構成要素の機能
と、宇宙の基礎エネルギ源の場の機能とを欠落しています。基本的にはニュー
トンの万有引力の法則と同じです。
「２」  アインシュタインは、光速ｃを、一定で、宇宙最速としていますが、光
速ｃは、球形定常宇宙の半径上の位置で、速度が変わり、且つ、宇宙最速では
ありません。
一定で宇宙最速なのは宇宙の基礎エネルギ源の場の歪み量の伝播速度ｓです          。アインシュタインは、一般相対性理論のリーマン幾何学の時間軸に光速ｃを          使用していますが、アインシュタインの意思とは無関係に、その計算結果は、          万有引力の場の歪み量の伝播速度ｓ×（ｃ÷ｓ）で計算されています。従って          、アインシュタインの「時空の歪み」は間違いであり、正しくは「万有引力の          場の歪み」になり、このすり替わりにより、計算結果と、宇宙の実態とが一致          します。アインシュタインが知らないこのすり替わりで、一般相対性理論の理          論式の計算が、正しくなっており、従来から「時空の歪み」と言っているのは          間違いで、正しくは、「万有引力の場の歪み」です。
「３」  アインシュタインの理論は、彼の思考実験には存在しても、宇宙に存在          しない事ばかりの様に思います。アインシュタインが、一般相対性理論で、何
を言わんとしたかが判りません。従って、全体の修正・整合方法が判りませ
ん。
３）宇宙物理学、素粒子物理学の欠陥と、その修正・整合：
１  欠陥：
宇宙物理学も、素粒子物理学も、共に、宇宙空間は、真の真空であるとしてお
り、観測出来ない最小複合粒子と、最小複合粒子が構成する約３６種類の宇宙の        構成要素と、最小複合粒子が構成する宇宙の基礎エネルギ源の場とを欠落してい        ます。従って、宇宙の構成、素粒子の構成は、共に、実態から、乖離しています          。
２  欠陥の修正・整合：
第2世代の自然科学で見直せば、正しい宇宙物理学と、素粒子物理学とを完成        出来ます。
第2世代の自然科学は、未だ、定性的な仕事しかしていません。これまでに累        積された観測出来る部分の観測結果を利用すれば、定量化が可能であり、大きな        成果を得られると思います。
（５）第2世代の自然科学の創出：
１）創出した経緯：
１  ５２年間の準備：
「１」  子供の時：
本発明者は、５歳頃から７歳頃まで、球突き遊びと、滑り台遊びと、水遊び          をしており、これ等は、後年に思い出すと、ニュートンの法則の抜けと、宇宙          の基礎エネルギ源の作用とを考えるのに、即ち、第2世代の自然科学を創出す          るのに、最適の内容でした。
「２」  小学校時代：
住吉小学校で、ニュートンの林檎の逸話を聞いた時に、ニュートンさんを越          えたいと思い始めました。
「３」  旧制中学時代：
大阪府立・住吉中学校で、ニュートンの法則を習った時に、ニュートンの法          則と、3つの遊びの現象とを合わせると、宇宙空間には、宇宙の基礎エネルギ          源が存在するが、ニュートンの法則には、それが含まれていないと思いました          。
「４」  旧制大阪高校時代：
旧制高校の物理の教科書には、その読み方によって、「従来の第1世代の自          然科学は、第2種永久運動を、これまで経験的に実現不可能であった事と、宇          宙の観測出来る部分に関する自然法則が第2種永久運動を否定する事とを理由          に、第2種永久運動を否定しています。但し、これ等の否定理由は、宇宙の観          測出来ない部分の物象が総て抜けているので、第2種永久運動が存在しない事          は、証明されていません。若し、宇宙の観測出来ない部分に第2種永久運動の          エネルギ源である宇宙の基礎エネルギ源を発見出来れば、人為的な第2種永久          運動が可能になります。但し、宇宙の基礎エネルギ源を、発見出来る可能性は          、殆んど０です。」とあります。
上記の「３」と「４」の2つを合わせると、宇宙には、宇宙の基礎エネルギ          源が存在し、宇宙の総ては、この基礎エネルギ源からエネルギを供給される第
2種永久運動である事になります。当時は、石油が無く、石油が欲しくて戦争
を始め、石油が無くて、戦争に負けた、惨めな時代でした。戦争に負けたが、
永久運動機関を実現すれば、負けた戦争の目的を達成できると思いました。こ
れが、目的を達成するまで、頑張った、理由です。
「５」  旧制大阪大学時代：
卒業研究の時に、方解石から作る実験試料にバラツキが多く、必要なデータ          が少ししか得られず困りました。この様な場合に、より正しい結果を得るには          どの様にするべきかを考えました。それは、類似点がある多くの種類の現象の          データを多数集めて、比較検討する事でしたが、卒研には間に合いませんでし          た。しかし、この方法は、約５０年後に、水の波動エネルギの構成・理論を解          析する場合に、光、電磁波、電界、磁界、電流、電圧、電力、自然界の空気・          水、流体機器内の空気・水の波動エネルギを比較・検討する事に結びつき、こ          れ等の比較・検討結果が、第2世代の自然科学の基本に成る、最小複合粒子の          構造・組成・機能の仮定、最小複合粒子が構成する約３６種類の宇宙の構成要          素の構成・理論の仮定、最小複合粒子が構成する宇宙の基礎エネルギ源の場の          構成・理論の仮定の創出に繋がりました。
「６」  サラリーマン時代：
特に、何もしていませんが、上記「５」に類似の方法が、会社の仕事でも、          有効な事を、何回か、経験しています。
２  １５年間の研究：
１５年間の研究の結果は、次の通りです。
「１」  最小複合粒子の構造・組成・機能を下記のように解析しました。
（ａ）構造・組成：
最小複合粒子は、観測出来ないが全宇宙に充満していて、絶対温度２．７            度に対応する回転数で、ランダム方向に方向を変えて自由に自転しています            。この事は、第1世代の自然科学で、１９６４年と、１９９２年とに、３Ｋ            宇宙背景放射として観測されています。そして、図5に示すように、最小複            合粒子の質量素片Ｃ１、Ｃ２と、正電気素片Ｄ１、負電気素片Ｄ２とは、９            ０度位相が異なっています。この構造・組成が、万有引力と、電磁力との夫            々に関して、第1世代の自然科学で現在までに観測され実用されて正しい事            が確認されている特性と、第2世代の自然科学が発見し、正しい事を確認し            た、平衡流動エネルギであり複合波動エネルギである第2種永久運動の特性            とを発生・作用させ、且つ、両者が相互に干渉しないようにする為の必須条            件です。そして、この構造・組成の最小複合粒子が宇宙に充満しておりさえ            すれば、放って置いても、現在の宇宙が構成され、現在の宇宙が永久不変に            続きます。
そして、勿論、上記の最小複合粒子の充満で、上記の３Ｋ宇宙背景放射が            観測されます。最小複合粒子が、宇宙の根源ですが、従来の第1世代の自然            科学は、3Ｋ宇宙背景放射を観測しているのに、最小複合粒子に気付かなか            ったのです。本発明者は、素人ですから、3Ｋ宇宙背景放射が観測されてい            ることを知らずに、上記・下記の最小複合粒子の構造・組成・機能を、前述            の解析手法で解析しています。前述の解析手法は、数学解析より、遥かに優            秀であり、必要な準備を行えれば、解析不可能なものは無いと思います。
（ｂ）機能：
ａ）  図5の構造・組成で、ランダム方向に方向を変えて自由に自転してい                る最小複合粒子は、全宇宙で、相互に３次元方向に釣り合って作用しま                す。この事が、宇宙の根源です。
ａ  宇宙の3次元万有引力基礎エネルギ源：
推定で、最小複合粒子間の間隔を含めて最小複合粒子の１０の２０乗                個位分の立方体の宇宙の基礎スペース内にある最小複合粒子が一つのグ                ループを組んで、3次元方向に釣り合っています。最小複合粒子が正電                荷の粒子と、負電荷の粒子とに分解する場合にも、3次元方向に釣り合                う力が必要であり、分解した後も、総てが、自転して、3次元方向に釣                り合っています。１０の２０乗個の数に関しては、解析範囲が広がれば                、自然に修正・整合されます。この場合、宇宙は、間隔を含めた最小複                合粒子の１０の２０乗個位分の立方体の宇宙の基礎スペースに分けて、                宇宙の総ての物象を構成します。宇宙の中心部では、最小複合粒子が収                縮しており、間隔も小さくなりますが、宇宙の構成要素の量が同じなの                で、平衡流動エネルギは変わりません。宇宙の外周部では、最小複合粒                子が膨張しており、間隔も大きくなりますが、宇宙の構成要素の量が同                じなので、平衡流動エネルギは変わりません。従って、これ等の宇宙の                基礎スペースは、平衡流動エネルギである一定の複合波動エネルギを有                して釣り合っています。
この場合、宇宙の基礎スペースは固定しており、最小複合粒子は自由                に移動しながら、その時に位置する基礎スペースに所属して動作します                。そして、立方体の宇宙の基礎スペース内の１０の２０乗個位の最小複                合粒子が、ランダム方向に方向を変えて、宇宙空間の温度である絶対温                度２．７度に対応する回転数で自転すると、各最小複合粒子が構成する                微小で多数の3次元万有引力の場が、全宇宙空間で、Ｘ軸、Ｙ軸、Ｚ軸                の3次元方向に釣り合います。このＸ軸、Ｙ軸、Ｚ軸の垂直座標軸は、                どの様に動いても、現象とその自然法則とに変化が起らず、宇宙の総て                を統一して説明出来ます。従って、この解析は、正しく、3次元垂直座                標軸と最小複合粒子の充満との組み合わせは、宇宙の統一理論に繋がる                と確信します。
最小複合粒子の自転に基づく3次元方向の釣り合いの場が、宇宙の3                  次元万有引力基礎エネルギ源の場の波動エネルギの波動性成分を構成し                ます。宇宙の3次元万有引力基礎エネルギ源の場は、太陽系では、太陽                と地球の質量、太陽の温度、光、電磁波による太陽温度の測定方法、光                の構成、電磁波の構成などを使用して計算すると、地球の重力の約１３                ２倍になります。宇宙の3次元万有引力基礎エネルギ源の場の波動エネ                ルギの粒子性成分は、単独で自転する最小複合粒子、又は、１０の２０                乗個位の最小複合粒子が、「負電気素片」と「正電気素片＋２質量素片                」とに電離して集合している荷電粒子の往復運動、又は、原子、分子の                流れです。粒子性成分の違いで、波動エネルギの特性が分類されていま                す。
万有引力の波動エネルギの場合は、万有引力の作用方向に、質量素片                を直列に1列に並べ、質量素片を軸に自転している最小複合粒子の1列                  が、粒子性成分の最小単位です。
光の波動エネルギの場合は、正・負電気素片を、隣接間で反転して軸                にして自転している質量素片の自転が、光の伝播方向に、直列に1列に                並んでいる最小複合粒子の１列が、粒子性成分の最小単位です。
万有引力、光、電磁波の様に、最小複合粒子の自転の方向を揃える事                で顕在化する場合は、最小複合粒子の1列の自転が、粒子性成分の最小                単位になります。この場合には、粒子性成分に、質量の移動がありませ                ん。万有引力、光、電磁波は、粒子性成分に質量の移動が無いので、正                規の波動エネルギだけで構成されます。上記の事を纏めると、万有引力                、光、電磁波の場合には、元々、万有引力、光、電磁波のエネルギは、                宇宙の全最小複合粒子に分散して、存在しているが、各最小複合粒子が                ランダム方向に方向を変えて自転している時には、潜在化しており、自                転の方向が揃う事により、顕在化するだけです。光が発生しても、万有                引力が作用しても、電磁波が発生しても、全宇宙の総エネルギに変化は                ありません。
本発明に直接の関係が無いので、詳細説明は省略しますが、電流×電                圧＝電力の場合には、粒子性成分に、電荷の移動があります。この電荷                の移動が、電流×電圧＝電力に随伴する随伴・重複波動エネルギを構成                します。従って、電流×電圧＝電力には、電力を発生・維持する正規の                波動エネルギと、外部に対して仕事をする随伴・重複波動エネルギとが                存在し、一方が電力を維持し、他方が外部に対する仕事をします。簡単                に言えば、５００Ｗの電気機器を稼動させるには、電源から５００Ｗの                電力を供給するだけで済むと言う事です。この現象があるので、人類は                、便利に、電流×電圧＝電力を使用出来ます。しかし、正規の波動エネ                ルギと同じエネルギの入力が必要です。但し、電気機器の電気抵抗を０                にした電気機器は、一度供給した正規の波動エネルギが必要電力を供給                し続けるので、超電導機器になります。
空気や水の波動エネルギの場合は、空気や水の流れが、粒子性成分で                す。従って、自然現象の空気や水の流れの様に、空気や水が、流れ跡空                間埋め合わせ現象で流れている場合には、空気や水の流れには、流れを                維持する正規の波動エネルギと、外部に対する仕事をする随伴・重複波                動エネルギとが存在し、流れを維持しながら、外部に対する仕事が出来                ます。台風、竜巻、津波が、大きな被害を発生するのは、この為です。                  人為現象の空気や水の流れの場合でも、空気や水を流す回転羽根が、                空気や水を、流れ後空間埋め合わせ現象で流れるようにすれば、人為的                な第2種永久運動を構成・使用出来ます。本発明の宇宙の基礎エネルギ                源を利用する冷房装置を構成・使用出来ます。
推測ですが、宇宙の3次元万有引力基礎エネルギ源の場のエネルギを                実測すると、上記の歪みが無く潜在化している状態での微小なエネルギ                が得られ、計算すると、総てが歪んで顕在化した状態の巨大なエネルギ                になると思います。アインシュタインの宇宙常数の問題、即ち、計算値                と、実測値とが乖離する問題は、これではないかと思います。歪み０の                状態は計算出来ませんから、歪み０の状態に近づく式で計算すれば良い                と思います。
数学は、何かを基準にして計算すれば、理論が正しくても、間違って                いても、計算結果が出ます。従って、計算結果の本質を知らないと、困                った結果になります。数学は、頭脳で考えて、その本質が明らかになっ                た事柄の数式化に使用するのが正しい使用方法であり、定性的な理論を                、定量化出来るので、極めて有効です。
ｂ  宇宙の電磁力基礎エネルギ源：
本発明に関係が無いので、省略します。
ｂ）  最小複合粒子が融合して構成している中性子、陽子、電子も、3次元                方向に釣り合う必要があるので、中性子、陽子、電子も、１０の２０乗                個位の最小複合粒子で構成されます。従って、宇宙の総ての最小複合粒                子は、物質内でも、空間内でも、１０の２０乗個位のグループを造って                、独立して、別個に、動作します。この場合、１０の２０乗個位の最小                複合粒子が、１個も、洩れなく、釣り合うので、宇宙の総ての中性子、                陽子、電子の構成と、宇宙の各種の原子の構成とが、完全に揃います。                
第2世代の自然科学は、この様にして、第1世代の自然科学の解決不                  能の問題を、総て、解決出来ると思います。
ｃ）  上記のように、９０度位相が異なっていると、1個の最小複合粒子の                自転が構成する、宇宙の3次元万有引力基礎エネルギ源の場の釣り合い                と、宇宙の電磁力基礎エネルギ源の場の釣り合いとが、９０度位相が異                なります。即ち、3次元万有引力の場と電磁力の場とは、相互作用無し                に、独立して、3次元方向に釣り合っています。更に、最小複合粒子の                3次元万有引力が作用する場合には、その最小複合粒子の電磁力は作用                しません。この逆も成立します。
ｄ）  万有斥力：
前述のように、負静電気の発生量が、正静電気の発生量より多いので                、総ての最小複合粒子は負電荷になっています。従って、原子、分子も                負電荷になっています。そして、総ての粒子の間には、負電荷による万                有斥力が存在します。この負電荷は、最小複合粒子の自転で構成される                ので、温度の上昇により、光、電磁波などの照射により、最小複合粒子                の自転の回転数が増大すると、負電荷が大きくなり、万有斥力が大きく                なります。この万有斥力は、気体の圧力、気体・固体の温度による膨張                ・収縮、各種の分離・分解を構成します。空気の温度が上昇すると、空                気の圧力が上昇するのは、上記の作用によります。本発明が使用する、                膨張部におけるエネルギの出入りが無い空気の膨張で、空気の温度が低                下するのも、上記の作用で、空気が、熱エネルギを運動エネルギに変え                て膨張する事によります。
上記のエネルギ機構があるので、最小複合粒子は、宇宙の総てを構成                出来ます。
「２」本発明に関係する流体の流れ：
（ａ）流れの発生：
オープン空間であり、その構成要素の総てが3次元方向に釣り合っている            自然界の流体に、何等かの原因で、流れが発生すると、その流体には、大気            圧と、宇宙の3次元万有引力基礎エネルギ源の場とをエネルギ源として、そ            の流れの跡の空間を埋め合わせる流れが発生します。即ち、加速度変化を伴            う流れ跡空間埋め合わせ現象による流れが発生します。
この場合、流れ跡空間埋め合わせ現象自体に加速度があれば、宇宙の基礎            エネルギ源は、直接に、歪み量を発生し、この歪み量をエネルギとして供給            します。
流れ跡空間埋め合わせ現象自体が等速度の場合、又は、速度が変化して等            速度に成った部分では、流路の断面積を縮小・拡大する事により、或は、流            れを、流れ方向のｓｉｎ相の流れと、回転方向のｃｏｓ相の流れとの組み合            わせにする事により、加速・減速の組み合せによる加速度化を行って、宇宙            の基礎エネルギ源の場に歪み量を発生させ、これをエネルギとして作用させ            ています。自然界の空気や水の流れが、乱流に成ったり、螺旋状に流れたり            、輪状に成るのは、この為です。
（ｂ）流れの波動エネルギ：
本発明が使用する、3次元方向に釣り合っている流体の流れは、宇宙の3              次元万有引力基礎エネルギ源の場の歪み量を波動性成分とし、流体の流れを            粒子性成分とする波動エネルギです。そして、波動エネルギには次のａ）、            ｂ）の2種類があります。
ａ）  波動エネルギが、外部に対する仕事をしながら、その波動エネルギによ              る流体の流れを維持し続ける種類の、即ち、流体の流れが、流れを維持                する正規の波動エネルギと、外部に対する仕事をする随伴・重複波動エ                ネルギとを有する種類の波動エネルギ：
広い範囲を詳しく調べて見ると、外部に対する仕事をしながら、波動エ              ネルギを維持出来る波動エネルギは、流体の流れを発生・維持・伝播させ              る正規の波動エネルギと、外部に対する仕事をする随伴・重複波動エネル              ギとが複合した複合波動エネルギです。この場合、随伴・重複波動エネル              ギが、発生・維持・作用する機構は、正規の波動エネルギの波動性成分が              平衡流動エネルギであり、粒子性成分が、何等かの形での最小複合粒子の              流れであり、これ等の両者が、加速度を伴う流れ跡空間埋め合わせ現象を              発生・維持して、宇宙の3次元万有引力基礎エネルギ源の場に、場の歪み              量である正規の波動エネルギと、大きさも構成も同じ、別個の新しい随伴              ・重複歪み量である随伴・重複波動エネルギとを、発生・維持・作用させ              る機構です。即ち、流れは一つ、波動エネルギは2つあり、波動エネルギ              は、流れに属さず、宇宙の3次元万有引力基礎エネルギ源の場に属するの              です。
波動性成分と粒子性成分とがこの種の機構を有する波動エネルギの代                表は、下記の、ａ人為現象の電流×電圧＝電力と、ｂ自然現象の空気や                水の流れと、ｃ本発明の人為現象の空気の流れとです。
ａ  人為現象の電流×電圧＝電力の流れ：
導体が構成する人為的な電気回路の中では、電流×電圧＝電力の構成                要素の総てが、3次元方向に釣り合って存在・作用しています。この回                路に電源を接続して使用します。
電流×電圧＝電力を使用する場合、５００Ｗの電気機器を使用するには              、電源から、５００Ｗを供給するだけで済みます。電流×電圧＝電力を使              用する場合は、これが常識になっています。従来は、この事に疑問を持つ              人はいませんでしたが、この事実は、電流×電圧＝電力の波動エネルギは              、電力の流れを維持する正規の波動エネルギと、外部に対する仕事をする              随伴・重複波動エネルギとが複合する複合波動エネルギである事を示しま              す。    この事により、人類は、電流×電圧＝電力を、便利に、都合良く              、使用して来たのです。
これに対して、水流×水圧＝水力を使用する場合は、従来の科学・技術              で水の循環回路を作り、これに従来の科学・技術で出力５００Ｗの水車を              設け、更に、従来の科学・技術でポンプを設けて、上記の出力５００Ｗの              水車を出力５００Ｗで稼動させるには、ポンプから、１０００Ｗの水流を              供給する必要があります。その理由は、水車を通過する水に、水車を回転              する５００Ｗのエネルギと、水車の出力５００Ｗのエネルギとの合計１０              ００Ｗのエネルギが必要である事です。
これ等の事は、従来の科学・技術による人為的な水の流れは、全宇宙と              3次元方向に釣り合う宇宙的な平衡流動エネルギでは無く、圧力差により              部分的に存在・作用する部分的なエネルギである事を示します。更に、こ              れ等の事は、本発明の様に、人為的な流体機器の流体の流れを、全宇宙と              3次元方向に釣り合う宇宙的な平衡流動エネルギである複合波動エネルギ              の流れにする方法を発見すれば、即ち、流体機器内に、独立して、約３６              種類の宇宙の構成要素が、流体の流れに伴って、3次元方向に釣り合う小              宇宙を造れば、宇宙の基礎エネルギ源を、人為的に利用出来る事を示しま              す。
ｂ  自然現象の空気や水の流れ：
自然界の空気や水の流れの場合には、前述の正規の波動エネルギによる              流体の流れが発生すると、この流体の流れに随伴する流れ跡空間埋め合わ              せ現象により、随伴・重複波動エネルギが発生し、これが、正規の波動エ              ネルギと複合して、複合波動エネルギを構成します。この場合、空気や水              の流れは一つですが、エネルギは、正規の波動エネルギと、随伴・重複波              動エネルギとの二つになります。そして、正規の波動エネルギで、その流              体の流れの自然現象を発生・維持し、随伴・重複波動エネルギで外部に対              する仕事をして、変化を残す事が無い第2種永久運動として存在・作用・              消滅します。上記の事は、エネルギは、質量（流体）に属さず、宇宙の基              礎エネルギ源の場の歪み量に属する事と、場の歪み量は重複して存在・作              用し得る事と、「力の作用速度と被作用質量との相対性」とに基づいて、              顕在化したり、潜在化したりする事で理解出来ます。
上記ａの記載と、ｂの記載とを組み合わせれば、下記ｃが実現します。
ｃ  本発明の人為現象の空気の流れ：
本発明に使用する自然法則は、観測結果・物的証拠による従来の証明の              代わりに、宇宙の総てを統一して説明出来る事と、広い範囲で実用出来る              事とで、正しい事を証明されていますが、数学的表現が無い定性的表現の              自然法則なので、それ等の自然法則に基づく説明は、下記の様な定性的表              現になります。
本発明には、万有引力による空気の流れの自然現象と同じ動作をする人              為的な空気の流れを発生する回転羽根が必要です。この回転羽根を有する              本発明を、上記の自然法則で定性的に詳しく表現すれば、次の様になりま              す。
本発明は、２００５年１１月に創出したが、未だ、世間に知られていな              い第2世代の自然科学が発見した観測出来ないが全宇宙に充満して宇宙の              総てを平衡流動エネルギの第2種永久運動として構成している最小複合粒              子と、最小複合粒子が構成する宇宙の基礎エネルギ源の場とが構成する宇              宙の基本構成の範囲内で、3次元方向に釣り合う人為的な空気の流れの一              定質量の流量と大気圧と宇宙の基礎エネルギ源と回転羽根の回転と流路の              形状と加速度を伴う流れ跡空間埋め合わせ現象との組み合せで構成されて              、空気流量の発生・維持だけではなく外部に対する仕事も出来る平衡流動              エネルギの第2種永久運動である空気の複合波動エネルギを人為的に発生              ・維持・作用させる新規な構造の回転羽根を内蔵する、円錐台型の圧縮部              と、これに接続する中空の円錐台型の膨張部と、前記回転羽根を回転する              モータとを備え、回転羽根の回転が発生する空気の人為現象の平衡流動エ              ネルギの流れである複合波動エネルギの第2種永久運動の構成要素の中で              空気を圧縮する作用を分担する一定質量の流量と大気圧と万有引力と流路              の形状と回転羽根の回転と加速度を伴う流れ跡空間埋め合わせ現象との組              み合わせ作用で、周囲の空気を、圧縮部内に吸引し、圧縮部内で、加速度              を伴う流れ跡空間埋め合わせ現象により、温度を変えずに、自由圧縮（圧              縮部と膨張部との組み合わせの中を、加速度を伴う流れ跡空間埋め合わせ              現象により、3次元方向に釣り合う平衡流動エネルギである複合波動エネ              ルギで、空気が流れると、圧縮部内の空気は、抵抗を受ける事なく、羽根              の回転で、温度を変える事無く、自由に圧縮され、膨張部内の空気は、熱              エネルギを運動エネルギに変えて、温度を下げて、自由に膨張します。）              して、室温のままで圧縮・昇圧し、圧縮・昇圧した空気を、膨張部内で、              熱エネルギを運動エネルギに変えて、自由に膨張させ、温度を低下させ、              加速度を伴う流れ跡空間埋め合わせ現象で室内に流出させて冷房する事を              特徴とする宇宙の基礎エネルギ源を利用する冷房装置です。
【請求項２】
請求項２は、請求項１において、これまでは知られていない複合波動エネルギ発生用の回転羽根の曲面を、円、楕円、放物線、双曲線、又は、三角関数などのように、勾配が連続的に増加、又は、減少する高次曲線を基準にして構成し、且つ、この回転羽根の構造と、回転羽根の回転に対する装置の境界条件の総てとを、各垂直断面を単位時間に通過する空気の質量がほぼ一定になり複合波動エネルギが一定になるように計算・構成し、この回転羽根が発生する空気の流れが、回転する回転羽根の面の各位置毎に独立して別個にほぼ垂直に作用するように計算・構成し、空気と回転羽根とが一体になって回転するように構成して、空気が加速度を伴う流れ跡空間埋め合わせ現象で流れる様にする事を特徴とする請求項1記載の宇宙の基礎エネルギ源を利用する冷房装置である。
【発明の詳細な説明】
【技術分野】
【０００１】
本発明は、新しい第2世代の自然科学に属します。新しい第2世代の自然科学は、観測出来ないが宇宙に充満している最小複合粒子と、この最小複合粒子が構成する約３６種類の宇宙の構成要素とが、宇宙の総てを、平衡流動エネルギであり、複合波動エネルギである、第2種永久運動として、構成するとする自然科学です。本発明は、第2世代の自然科学の、宇宙の基礎エネルギ源、大気圧、万有引力、万有斥力、静電気、平衡流動エネルギ、波動エネルギ、流体力学、第2種永久運動の分野に属し、特に、宇宙の基礎エネルギ源を利用する冷房装置に関するものです。
【背景技術】
【０００２】
本欄では、第２世代の自然科学に関して、基本的な事項と、本発明に必要な事項の説明と、正しい事の説明とを行います。
（１）最小複合粒子の構造・組成・機能：
図5に、「１」宇宙に充満する最小複合粒子の構造・組成を示します。「２」これが、ランダム方向に方向を変えて自由に自転しています。「３」自転により、質量素片Ｃ１、Ｃ２に負静電気、負電気素片Ｄ２に正静電気が発生します。これ等の作用により、総ての最小複合粒子は、電気的に、負静電気が過剰になり、負静電気間の斥力で、最小複合粒子間に、自由に動く為の間隔が維持されます。「４」最小複合粒子の自転と、９０度位相が異なる質量素片と電気素片と、静電気の発生と、この間隔とがあるので、最小複合粒子が機能し、宇宙が存在します。この構造・組成で、現在、判っている範囲の宇宙の総てを、統一して説明出来ます。又、広い範囲で新しい事実を解析出来ます。
【０００３】
第1世代の自然科学は、最小複合粒子と、最小複合粒子が構成する約３６種類の宇宙の構成要素とを対象から脱落させています。この脱落の為に、空気を、その温度を一定に維持しながら、圧縮・昇圧出来ません。この脱落が無い第2世代の自然科学では、これまでは知られていない複合波動エネルギを構成・使用して、空気を、その温度を一定に維持しながら、圧縮・昇圧出来ます。前述の熱の説明を参考にして言い換えれば、関係する総ての宇宙の構成要素による複数の動作結果の間に、差異が無いようにし、差異が熱として蓄積されない様にして、圧縮・昇圧出来ます。
【０００４】
第1の背景技術：最小複合粒子の構造・組成・機能と、その存在の証明
（１）第2世代の自然科学において、前述の最小複合粒子と、約３６種類の宇宙の構成要素と、素粒子物理学、宇宙物理学、流体力学、熱力学などの基礎理論と、各種のエネルギ、力である万有引力、光、電磁波、電界、磁界、電流、電圧、電力、力、圧力、熱、万有斥力、自転、質量、電荷、静電気、素粒子の容積などと、各種の波動エネルギ等と、既存の各種の観測結果などとを、詳細に、比較、検討した結果、本発明に使用する流体現象は、回転羽根の回転が発生する正規の複合波動エネルギと、これが発生する流れ跡空間埋め合わせ現象により随伴・重複して発生する随伴・重複波動エネルギとの２種を組み合わせた複合波動エネルギであり、位相が９０度異なるｓｉｎ・ｃｏｓの２相であり、且つ、3次元方向に釣り合っている複合波動エネルギの第2種永久運動である事が判りました。この場合、自然現象は、総ての必要性に合わせて極めて巧妙に出来て居ます。例えば、正規の波動エネルギ単独では、その波動エネルギを発生・維持出来ますが、外部に対する仕事をすると、波動エネルギは消滅し、後に、その仕事が残ります。光の波動エネルギがその典型です。波動エネルギが、波動エネルギを維持しながら、外部に対して仕事をするには、随伴・重複波動エネルギが必要です。その典型が、電流×電圧＝電力の複合波動エネルギと、水流×水圧＝水力の複合波動エネルギと、気流×気圧＝気力の複合波動エネルギとです。この事は、電力現象、水や空気の流体現象を調べると判ります。宇宙のエネルギ機構は、上記の総てが、必要に応じて、成立するように構成されています。上記の最小複合粒子を含めた総てを理解していないと、宇宙の本質は判りません。本発明も理解出来ません。即ち、従来の第1世代の自然科学では、宇宙の本質を理解出来ず、宇宙の本質を利用出来ません。
【０００５】
第2の背景技術：
第2世代の自然科学によると、本発明のように、空気を圧縮・昇圧し膨張・減圧する場合でも、この一連の現象を、正規の波動エネルギと、これに随伴・重複して発生する随伴・重複波動エネルギとの2種の組み合わせであり、位相が９０度異なる軸方向ｓｉｎ相・回転方向ｃｏｓ相の２相であり、3次元方向に釣り合っている複合波動エネルギの第2種永久運動に成るように、空気の流れを構成すれば、温度の上昇無しに空気を圧縮・昇圧し、温度を低下させて膨張・減圧して、冷房出来る事を理解出来ます。
【０００６】
第3の背景技術：
請求項１の終わりに記載の本発明の構成によると、第2の背景技術が満たされます。
【０００７】
第4の背景技術：
第2世代の自然科学は、全宇宙の総ての物質・エネルギ・現象は、全宇宙に充満しているが直接観測が不可能である最小複合粒子と、最小複合粒子が構成する約３６種類の宇宙の構成要素とに基づいて構成されている事を示します。従って、第2世代の自然科学の自然法則には、それが正しい事を証明する観測結果に基づく物的証拠がありません。この事は、第1世代の自然科学が、自然法則には、観測結果と、その数学解析結果とに基づく物的証拠が必要であるとしている事と、完全に相反します。第2世代の自然科学の自然法則が正しい事を証明するには、「１」その自然法則が、宇宙の総ての物質・エネルギ・現象を統一して説明出来る事と、「２」その自然法則が、広い範囲で実用可能である事とを証明する必要があります。即ち、第1世代の自然科学と、第2世代の自然科学とは、別の自然科学であるという事です。そして、第2世代の自然科学が、最小複合粒子と約３６種類の宇宙の構成要素とに基づいて提案している事の総てが、第1世代の自然科学では、否定されます。これは、極めて厄介な事ですが、間違っているのは、第1世代の自然科学です。
【０００８】
第5の背景技術：
第2世代の自然科学を使用して、新規技術の構成・理論を研究する場合には、新規技術の構成・理論の感知、構成、実用、正しい事の証明の4作業を一体化して行います。即ち、正しい事を確認しながら、新規技術の構成・理論を研究します。このような、これまでの常識では不可能な事でも、最小複合粒子の構造・組成・機能の構成・理論と、約３６種類の宇宙の構成要素、例えば、万有引力、光、電流、電圧、電力、電磁波、電界、磁界、熱、力、圧力、熱、万有斥力、自転、質量、電荷、静電気、素粒子の容積、流体力学、素粒子物理学、宇宙物理学、平衡流動エネルギ、複合波動エネルギ、第2種永久運動、原子内核力、原子間結合などの構成・理論と、各種の自然法則とに関する第2世代の自然科学の知識を使用する事で可能になります。この事が、第2世代の自然科学の特徴であり、この事は、宇宙の総てが、単純・必然的に・統一して構成されている事で、可能になります。
【０００９】
第6の背景技術：
上記の第4、第5の背景技術の使用を可能にするには、第2世代の自然科学の構成要素を使用して、宇宙の総ての物質・エネルギ・現象を統一して説明したり、広い範囲で実用したり出来るまでに、第2世代の自然科学を広い範囲で充分に理解する必要があります。この事は、従来の第1世代の自然科学の特許明細書でも、第1世代の自然科学をその分野の一般的なレベルまで理解していないと、理解出来ないのと同じ事です。第2世代の自然科学を利用可能なレベルまで理解するには、少なくとも、「１」最小複合粒子の構造・組成・機能を理解する。「２」最小複合粒子が構成する約３６種類の宇宙の構成要素の構成・理論を理解する。「３」万有引力、光、電流、電圧、電力、電磁波、電界、磁界、熱、力、圧力、万有斥力、自転、質量、電荷、静電気、素粒子の容積などの構成・理論を理解する。「４」宇宙を構成している総ての種類の波動エネルギの構成・理論を理解する。「５」宇宙の最も基本的な構成要素である光、電磁波の波動エネルギの構成・理論を理解し、電流×電圧＝電力、水流×水圧＝水力、気流×気圧＝気力の複合波動エネルギの構成・理論を理解する。「６」原子内核力・原子間結合力の構成・理論を理解する必要があります。これだけを理解すれば、第2世代の自然科学の実用が可能になります。その根拠は、次の通りです。私は、子供の時から、第2世代の自然科学に興味を持ち、サラリーマン定年までの５２年間を準備期間に使用し、定年後の１７年間を研究期間に使用して、第2世代の自然科学を創出・進歩させました。この場合、準備に５２年間も使用したので、研究の方向付けは正しく、常に正解の研究をしていましたが、最近になって、上記の「１」、「２」、「３」、「４」、「５」、「６」を完了するまでは、第2世代の自然科学を実用出来ず、他人に説明出来ませんでした。即ち、観測出来ない物象の本質を研究して実用するには、その物象の近傍のみを研究しても本質を理解出来ず、理解するには、宇宙の総ての物質・エネルギ・現象と統一して研究する必要があるという事です。従って、第2世代の自然科学を他人に説明するには、他人に、上記の「１」、「２」、「３」、「４」、「５」、「６」を理解して貰う必要があるという事です。これでは、短期間に、他人に説明する事は不可能です。前述のように、信じて、実用して貰う以外に方法がありません。実用すれば、直ぐに、理解出来ます。本発明のこの明細書は、信じ易く、実用し易く、理解し易いように、書かれています。
【００１０】
第7の背景技術（第2世代の自然科学と実験結果との関係）：
本発明は、第2世代の自然科学が示す宇宙の自然現象の物質・エネルギ・現象を人為的に模倣したものです。特に、空気の流れの自然現象を模倣したものです。この場合、宇宙の総ての物質・エネルギ・現象は、「完全分業体制・完全談合体制・争い０体制」と言う宇宙の最優先基本法則に従っています。即ち、宇宙の総ての物象は、発生する前に、伝播速度が宇宙で最も速く、光速ｃよりも速い、宇宙の3次元万有引力基礎エネルギ源の場の歪み量の伝播速度ｓを通信手段として、完全分業、完全談合して、宇宙の基本的なエネルギ機構に適合するか否かを談合・判断されています。言い換えると、常時、談合・判断しています。この場合、場の歪み量の伝播速度ｓは、質量の動きを伴わないので、光速ｃより、速いのです。実際には、光が光速ｃで伝播する前を、光の波動性成分である場の歪み量がその伝播速度ｓで先行しています。光の粒子性成分は、最小複合粒子の自転であり、質量の自転があるので、波動性成分が、先行して、光路を作っても、最小複合粒子は、自転の周波数・方向を揃えるのに時間が掛かり、少し遅れるのです。上記の全宇宙の判断の為に、宇宙の自然現象と、本発明とは、必要条件を１００％満たしていないと成立しません。９９％満たしていても、０％の場合と同じに成ります。観測出来る範囲に限る従来の第1世代の自然科学の研究のように、研究対象の物象の構成・理論を未だ理解出来ていない状態で、実験して、その実験結果に基づいて、実験条件を修正して、正解に近づくと言う手法は、観測出来ない物象の自然科学である第2世代の自然科学に基づく平衡流動エネルギの研究では通用しません。第2世代の自然科学の平衡流動エネルギに関する研究では、実験に先立って、理論的な研究だけで、ほぼ１００％の正解に到達する必要があります。これが、第6の背景技術に記載のように、第2世代の自然科学を実用するには、第2世代の自然科学を、上記のように、広い範囲で、或るレベルまで理解する必要がある理由です。これは、又、観測出来ない物象の自然科学である第2世代の自然科学を最初に創出するのが、不可能ではないかと思う程に困難であった理由です。しかし、一旦、創出されて仕舞えば、その後は、それを信じて、実用すれば良いのです。第2世代の自然科学を信じて使用すれば、新しい発明を、実験を全く行わないで、理論的な研究だけで、完成出来ます。本発明が、その実例です。
【発明の開示】
【発明が解決しようとする課題】
【００１１】
発明が解決しようとする課題は、従来の第1世代の自然科学のレベルから言えば、又、世間一般のレベルから言えば、
「１」全宇宙の基本構成と、そのエネルギ機構とを、それ等の構成・理論を、人為的に、利用出来るレベルまで、明らかにする事、
「２」観測出来ないが全宇宙に充満して、全宇宙を構成している最小複合粒子の構造・組成・機能を、人為的に利用出来るレベルまで、明らかにする事、
「３」最小複合粒子が構成する約３６種類の宇宙の構成要素の構成・理論を、人為的に利用出来るレベルまで、明らかにする事、
「４」万有引力、光、電流、電圧、電力、電磁波、電界、磁界、力、圧力、熱、万有斥力、自転、質量、電荷、静電気、素粒子の容積、平衡流動エネルギ、不平衡エネルギ、波動エネルギ、複合波動エネルギ、第2種永久運動、原子内核力、原子間結合力などの構成・理論を、人為的に利用出来るレベルまで、明らかにする事、
「５」空気を圧縮・昇圧する場合に、宇宙の基礎エネルギ源を利用して、空気の温度を一定に維持しながら、空気を圧縮・昇圧する方法を開発する事、発生・作用し、3次元方向に釣り合う総ての平衡流動エネルギに、熱になる差異が無いようにする事、
「６」宇宙の基礎エネルギ源を利用して、空気の熱エネルギを運動エネルギに変えて、空気の温度を低下する方法を開発する事、
です。これ等は、第1世代の自然科学と、世間一般とでは、不可能です。しかし、これまでの常識では不可能と思われている「１」から「４」までは、２００５年１１月に創出した第2世代の自然科学が、既に、明らかにしており、「１」から「４」に基づく本発明に必要な要点は、特許請求の範囲と、前述・後述の文章とに記載されています。従って、本発明が解決しようとする課題は、「１」から「４」に基づいて、「５」と「６」とを行う事です。
【課題を解決するための手段】
【００１２】
請求項１の終わりに記載された構成が、本発明を、正しく、洩れ無く、付加無く示しています。しかし、これ等には、最小複合粒子の作用と、最小複合粒子が構成する約３６種類の宇宙の構成要素の作用とを知らない第1世代の自然科学が、在り得ない、納得出来ないとしている力、エネルギ、エネルギ源、現象が、多数含まれています。従って、課題を解決するための手段の説明を、次のように行います。これで、納得出来る筈です。
【００１３】
宇宙の総ては、複合波動エネルギの第2種永久運動である事の説明：
最小複合粒子と、最小複合粒子が構成する約３６種類の宇宙の構成要素とに基づく第2世代の自然科学で、宇宙の総ての物質・エネルギ・現象の本質を研究すると、次ぎの事が判ります。「１」宇宙の総てを構成している最小複合粒子は、どのような状態になっても、宇宙を構成する宇宙の構成要素の主要メンバーとしての分業を忠実に守り、宇宙空間の温度である絶対温度２．７度に対応する回転数と、その時の其処の温度に対応する回転数との2種類の回転数で自転しています。其処の温度に対応する回転数の自転は、宇宙を構成する複数の平衡流動エネルギが3次元方向に釣り合って作用する場合に、若し、両者に差異があれば、その差異を熱として吸収して、3次元方向の釣り合いを堅持する為の調整現象です。「２」従って、最小複合粒子が構成する宇宙の3次元万有引力基礎エネルギ源の場、宇宙の電磁力基礎エネルギ源の場などの約３６種類の宇宙の構成要素は、総て、最小複合粒子の自転により必ず波動しています。「３」宇宙には、最小複合粒子と、約３６種類の宇宙の構成要素としか存在しないので、宇宙の総ては、自転する最小複合粒子と、波動する約３６種類の宇宙の構成要素との組み合せでしか構成され得ません。従って、宇宙の物質・エネルギ・現象の総ては、約３６種類の宇宙の構成要素の場の波動による波動性成分と、自転する最小複合粒子による粒子性成分とで構成される波動エネルギの第2種永久運動に成っています。そして、最小複合粒子は、重い元素の原子に融合していても、どの様な状態になっていても、上記の自転は勿論、総ての分担業務を完全遂行し、必ず、生き残ります。
【００１４】
宇宙の総てが、波動エネルギの第2種永久運動である事の証明方法：
観測出来ない物象に基づく第2世代の自然科学では、この事の証明に使用出来る観測結果に基づく物的証拠は存在しません。従って、この事の証明は、この事で、宇宙の総てを統一して説明出来る事の証明と、この事が、広い範囲で実用出来る事の証明とで行います。
【００１５】
波動エネルギの第2種永久運動の構成・理論を使用すれば、宇宙の総てを統一して説明出来る事と、広い範囲で新技術の開発に使用出来る事との証明：
従来の第1世代の自然科学のように、研究範囲を細分して、狭い範囲を個別に研究していても、この事の発想も証明も不可能です。この発想と証明とには、第2世代の自然科学が行ったように、宇宙は、単純・必然的に・統一して構成されており、且つ、数学とは無関係であると仮定して、単純・必然的に・統一して構成されていると思われる簡単な物象から始めて、宇宙の総てを、最小複合粒子と、最小複合粒子が構成する約３６種類の宇宙の構成要素とで、単純・必然的に、波動エネルギの第2種永久運動であると、統一して説明出来る事を証明し、更に、波動エネルギの第2種永久運動の実用化の実績を作る必要があります。そして、実際に行ったのは、「１」ニュートンの自然法則が、子供の時の球突き遊びで気が付いていた、球の運動エネルギが静止して並んでいる球に当たり、その球を通過し端の球に伝播して、その端の球を跳ね飛ばす現象を説明出来ない事から、ニュートンの運動法則が見落としている物象を、最小複合粒子を基準にして、考え始め、この最小複合粒子が万有引力、光、電力、電磁波を構成しているとして、その考えを修正・整合し続けて、宇宙に充満する最小複合粒子の構造・組成・機能にたどり着き、「２」この最小複合粒子の構造・組成・機能に基づいて、宇宙物理学と、素粒子物理学と、流体力学とを、見直して、最小複合粒子の構造・組成・機能を修正・整合し、「３」最小複合粒子が構成する約３６種類の宇宙の構成要素を、感知・思考・理解・構成・実用化し、「４」宇宙の総てを構成する、万有引力、光、電流、電圧、電力、電磁波、電界、磁界、力、圧力、熱、万有斥力、自転、質量、電荷、静電気、素粒子の容積などの構成・理論を感知・思考・理解・構成・実用化し、「５」最小複合粒子と約３６種類の宇宙の構成要素とで、宇宙物理学、素粒子物理学、流体力学を、単純・必然的に・統一して説明出来る事を確認し、「６」最小複合粒子と約３６種類の宇宙の構成要素とで、主要な波動エネルギである光、電磁波、電流×電圧＝電力、水流×水圧＝水力、気流×気圧＝気力とを、単純・必然的に・統一して説明出来る事を確認し、「７」宇宙の総てが、宇宙の基礎エネルギ源の場を波動性成分とし、最小複合粒子の自転を粒子性成分とする波動エネルギである事を確認しました。「８」これ等の確認の過程で、最小複合粒子の構造・組成・機能と約３６種類の宇宙の構成要素とを修正・整合しました。そして、その修正・整合の結果として、最小複合粒子と、約３６種類の宇宙の構成要素とを使用すれば、宇宙の総ての物質・エネルギ・現象を、単純・必然的に・統一して説明出来る事と、最小複合粒子と、約３６種類の宇宙の構成要素とを使用すれば、水流×水圧＝水力の複合波動エネルギの第2種永久運動を利用する「特願２００６−１３２０」と、複合波動エネルギの第2種永久運動を利用する澱粉の光合成を可能にする「特願２００６−１６０５４５」と、本発明とを実用化出来る事とを証明しています。そして、上記の事は、多少の修正・整合が必要であるとしても、総てが、基本的に正しいと確信しています。
【００１６】
以下に、本発明における気体の現象に関して、下記のように、補足説明します。
【００１７】
気体の波動エネルギの説明：
本発明に関係する事を主体に書きます、
「１」  気体の波動エネルギは、粒子性成分である流れている気体の分子と、地球規模で3次元方向に釣り合って作用する波動性成分である大気圧と、宇宙規模で3次元方向に釣り合って作用する波動性成分である宇宙の3次元万有引力基礎エネルギ源の場とによる波動エネルギです。地球上では大気圧と宇宙の3次元万有引力基礎エネルギ源の場との両方が存在しますが、人工衛星では、前者は存在しません。この場合、大気圧は、地球の重力が作用した結果なので、大気圧は、常に、一定値で、3次元方向に釣り合った状態で、気体に、作用.します。従って、地球上の自然界の空気は、3次元方向に釣り合って作用する大気圧と、宇宙の3次元万有引力基礎エネルギ源の場とを作用させる為に、流れ跡空間埋め合わせ現象で流れます。この場合、大気圧は、常に、大気圧を作用させるだけですが、宇宙の3次元万有引力基礎エネルギ源の場は、その気体の質量の流れ跡空間埋め合わせ現象の速さの加速度変化に対応する場の歪み量を発生し、この場の歪み量を、その気体の運動エネルギとして供給します。流れ跡空間埋め合わせ現象が等速度の場合は、前述・後述にように、流れ跡空間埋め合わせ現象の作用と、大気圧の作用と、宇宙の3次元万有引力基礎エネルギ源の作用とにより、等速の流れが、軸方向ｓｉｎ相と、回転方向ｃｏｓ相の２相の加速度の流れの組み合わせに変わり、この加速度に、宇宙の3次元万有引力基礎エネルギ源の場が作用します。等速度で流れる水が乱流になるのはこの為です。気体の流れのエネルギは、「大気圧＋気体の流れの動圧」の仕事量です。「２」  気体の波動エネルギの粒子性成分は、流れ跡空間埋め合わせ現象による、気体の流れ、又は、気体の循環です。気体の波動エネルギの波動性成分は、大気圧と、宇宙の3次元万有引力基礎エネルギ源の場とです。「３」  粒子性成分が最小複合粒子の移動ですから、自然界の空気の流れには、空気の流れを発生・維持する正規の波動エネルギと、外部に対する仕事をする随伴・重複波動エネルギとが存在・作用します。そして、自然界には、宇宙の自然法則「力の作用速度と被作用質量との相対性」（これは、万有引力の作用結果の数学解析であるニュートンの法則では抜けています。水星の近日点の計算に誤差があるのは、この為です。万有引力の作用中の状態の数学解析であるアインシュタインの一般相対性理論は、この相対性の法則を満たしています。水星の近日点の計算に誤差が無いのはこの為です。）があるので、随伴・重複波動エネルギは、その境界条件と上記の自然法則との関係によって、潜在化したり、顕在化したりします。随伴・重複波動エネルギを伴う自然界の風、台風は、障害物が在っても、その障害を、随伴・重複波動エネルギで処理して、吹く事が出来ます。自然現象は、単純・必然的に・統一して構成される為に極めて巧妙に出来ています。尚、電流×電圧＝電力の波動エネルギも、気流×気圧＝気力と水流×水圧＝水力の波動エネルギと類似のエネルギ機構を持っており、正規の波動エネルギと、随伴・重複波動エネルギとを持っています。人類が、電流×電圧＝電力を、都合よく、使用出来るのは、正規の電力の波動エネルギと随伴・重複波動エネルギとが存在し、正規の波動エネルギが電力の流れを維持し、随伴・重複波動���ネルギが、外部に対する仕事をするからです。これまで、人類は、この事に気付いていませんが、これが事実です。これ等の事は、通常の状態では、第2世代の自然科学を理論的に理解出来ていないと判りませんが、超電導装置の場合は、明確です。電流×電圧＝電力に、正規の波動エネルギと随伴・重複波動エネルギとが存在するから、導体の電気抵抗を０にするだけで、超電導現象が、第2種永久運動として発生・維持され、正規の波動エネルギが電力を維持し、随伴・重複波動エネルギが仕事をするのです。特願２００６−１３２０の水を使用する第2種永久運動機関と、本発明とは、超電導装置と同じ正規の波動エネルギと、随伴・重複波動エネルギとで構成されます。しかし、流体の場合は、電流×電圧＝電力の複合波動エネルギより条件が悪いので、流体が、完全に、流れ跡空間埋め合わせ現象で流れるように、流路の境界条件を１００％合わせる必要があります。
【００１８】
オープン空間の気体の複合波動エネルギの構成に必要な境界条件その１、その２、その  ３：
「１」境界条件その1：地球上のオープン空間では、総ての位置で、地球の万有引力に基づく大気圧と、宇宙の基礎エネルギ源の場とが3次元方向に釣り合っています。これが、必要な境界条件その１です。この境界条件その1により、オープン空間の総ての位置で、気体の波動エネルギが、各位置毎に、独立して、別個に、潜在化して存在します。オープン空間における気体の顕在化した波動エネルギは、平衡流動エネルギであり、この波動エネルギの各位置のエネルギの大きさは等しく、各位置間で、各エネルギだけでは無く、各エネルギの構成要素の総てが、3次元方向に釣り合っています。「２」境界条件その２：波動エネルギの作用条件を決める宇宙の構成要素の総てが3次元方向に釣り合っている事が、気体の波動エネルギの構成に必要な境界条件その２です。自然現象では、常に、成立しています。「３」境界条件その３：そして、この状態で、大気が、3次元方向の釣り合いを維持しながら、波動エネルギで流れるには、大気が、万有引力をエネルギ源とする流れ跡空間埋め合わせ現象で流れる必要があります。言い換えると、大気が流れ跡空間埋め合わせ現象で流れる条件を確立する事が、オープン空間の気体の波動エネルギの構成に必要な境界条件その３です。これも、自然現象では、常に、成立しています。地球の大気による気象現象は、地球の大気の波動エネルギであり、平衡流動エネルギです。地球の各位置の大気の平衡流動エネルギは、各位置間で3次元方向に釣り合っており、各位置の大気の平衡流動エネルギを等しくするように、流れ跡空間埋め合わせ現象によって動作します。地球上では、各種の原因で、高温の大気、低温の大気、高気圧、低気圧が出来ますが、流れ跡空間埋め合わせ現象により、これ等を動作させ、変化させて、均一にしようとする作用が、気象現象です。気象現象は、巧妙に出来ていて、高温の大気、低温の大気、高気圧、低気圧などの各位置のエネルギは、風が3次元方向の平衡を維持しながら吹くだけで、全体の平衡が取れるようになっています。代表的な気象現象である台風は、低気圧であり圧力エネルギが小さいので、風を速く吹かせ、運動エネルギを大きくして、周囲との平衡を維持しています。この事は、台風の風が、等圧線に平行に吹く事から明らかです。ＴＶの通常の天気予報でも、風は、気象図の等圧線に平行に吹いています。
【００１９】
流体機器内の気体に平衡流動エネルギである波動エネルギを人為的に構成するのに必要な境界条件その1、その２：
従来の第1世代の自然科学に基づく流体機器では、機器内の流体に圧力差を発生させ、この圧力差による不平衡エネルギで流体の流れを発生・維持し、この流れの運動エネルギを消費して、外部に対する仕事をしています。しかし、流体機器内に気体の平衡流動エネルギである波動エネルギを人為的に構成する場合には、その流体機器内に、大気圧が存在・作用し、宇宙の3次元万有引力基礎エネルギ源の場が存在・作用する事が、必要な境界条件その１です。そして、必要な境界条件その２は、「発明を実施するための最良の形態」の欄に記載した複合波動エネルギ発生用の回転羽根を使用する事です。自然界の大気に発生する大気の波動エネルギは、大気の循環で発生します。大気の循環を発生・維持するエネルギ源は、地球の万有引力による大気圧と、宇宙の3次元万有引力基礎エネルギ源の場の歪み量とです。即ち、基本的には、万有引力の作用です。前述の複合波動エネルギ発生用の回転羽根は、流路の必要な作用条件を総て合わせた場合に、その流路の中に、万有引力の作用が流れ跡空間埋め合わせ現象により気体に発生させる流れと同じ流れを、発生させます。この事により、回転羽根は、必要な境界条件その２に成ります。詳細は、「発明を実施するための最良の形態」の欄に記載します。尚、この複合波動エネルギ発生用の回転羽根の構造・機能は、流体の自然の流れから考え出したのでは無く、飛ぶ鳥の羽根の動き、光の波動エネルギ、電磁波の波動エネルギ、電流×電圧＝電力の波動エネルギ、水流×水圧＝水力の波動エネルギの比較・検討から感知したものです。第2世代の自然科学には物的証拠が無いので、第2世代の自然科学に基づく新しい技術の創出には、その技術を、宇宙の総てと統一して考える事が、必須であり、効果的です。
【００２０】
流体機器内の気体に平衡流動エネルギである波動エネルギを人為的に構成するのに必要な境界条件その３：
オープン空間の気体に波動エネルギが発生する境界条件その３は、流れ跡空間埋め合わせ現象で気体が流れる事です。宇宙の総ては、単純・必然的に・統一されているので、流体機器内の気体に波動エネルギを人為的に構成するのに必要な境界条件その３は、その機器の境界条件の総てが、機器内の気体を流れ跡空間埋め合わせ現象で流すのに必要な条件を満たしている事です。これ等の境界条件は、下記の通りです。即ち、必要な境界条件その３は、機器内を気体が流れ跡空間埋め合わせ現象で流れるように、「１」大気圧が、機器内の気体に、3次元方向に釣り合って作用している事、「２」宇宙の3次元万有引力基礎エネルギ源の場が、機器内の気体に、3次元方向に釣り合って作用している事、「３」複合波動エネルギ発生用の回転羽根の回転により、流体機器の流路の各垂直断面毎に、同じ大きさの波動エネルギが、独立して、別個に、発生・維持・作用する事、「４」流路の各垂直断面を単位時間に通過する気体の質量が等しい事、「５」螺旋状に回転しながら流れる気体の流れが、複合波動エネルギ発生用の回転羽根の面にほぼ垂直に作用する事（これは、ＴＶで見る鳥の羽根の動きからの連想で確認した事です。）、「６」螺旋状に回転しながら流れる気体の流れが、自然法則「力の作用速度と被作用質量との相対性」に従って、回転する回転羽根と一体になって、相互作用しながら流れる事です。しかし、これ等は、考え方、又は、手段であって、境界条件その３そのものは、空気が、これ等の総てを満足させる事によって得られる流れ跡空間埋め合わせ現象で、機器内を流れる事です。
【発明を実施するための最良の形態】
【００２１】
注意事項：
個人の主体性の確立を重視し、その意見、立場の相違を調整するに必要なルールを揃え、そのルールに従っている西洋文化に育まれた第1世代の自然科学は、その主体性を感覚的に満足させる為に、人間が主体的に確認出来る観測結果などの物的証拠を重視するルールを揃え、物的証拠による証明に凝り固まっています。第1世代の自然科学は、観測結果を数学解析する方法で科学に必要な客観性が満たされていると考えています
しかし、これには、落とし穴があり、実際には、自然科学の客観性を失わせています。      
【００２２】
実際に、自然現象の本質を正しく理解して正しく評価すると、宇宙物理学のように、現象の位置と観測する位置とが離れていて、観測する光、電磁波、Ｘ線、赤外線などの動作の境界条件が異なる場合には、観測する光などの動作が、異なる事により、観測結果に大きな偏りがあります。しかし、この種の偏りを理解・修正するには、宇宙空間、光、電磁波、Ｘ線、赤外線などの本質を理解している必要があります。従って、この観測結果の偏りの理解・修正は、第1世代の自然科学では不可能です。しかし、第2世代の自然科学では可能です。そして、例えば、太陽の温度は、この修正を行わないと、広く知られている6千度になりますが、この修正を行うと１５００万度になります。この事は、（特願２００６−１３２０）に記載されています。又、素粒子物理学のように、ミクロの世界のミクロ現象を、マクロの世界から観測した結果は、ミクロの世界の収縮率を考慮して修正しないと、正しく使えません。又、第1世代の自然科学の流体力学では、流れる流体の圧力などを静止位置で観測しています。流体が、流れ跡空間埋め合わせ現象で3次元方向に釣り合って流れている場合には、この観測方法による観測結果では、現象を説明出来ません。その為に、第1世代の自然科学の流体力学では、大気圧の作用を間違っています。又、根本的な間違いとして、第1世代の自然科学では、その観測結果には、最小複合粒子と、最小複合粒子が構成する約３６種類の宇宙の構成要素とが含まれていません。従って、第1世代の自然科学の観測結果の数学解析は、真の宇宙を、観測出来る範囲の宇宙に置き換えて取り扱っており、更に、上記の観測結果の偏りを含みます。第2世代の自然科学では、最小複合粒子と、約３６種類の宇宙の構成要素と、修正・整合した観測結果と、約３６種類の宇宙の構成要素に基づく境界条件と、その境界条件における宇宙の構成要素の場の動作とを、使用しています。これ等が無い第1世代の自然科学は、観測した範囲の自然現象の実験式を作り、観測した範囲の自然現象を利用出来ますが、宇宙の観測出来ない部分を利用できず、宇宙の本質を理解できず、宇宙の本質を利用出来ません。第2世代の自然科学は、これ等の総てを理解して、利用出来ます。
（１）本発明の冷房装置の構成と理論：
第2世代の自然科学を使用して、観測出来ない物象の構成・理論を利用する新しい機器の新技術を研究する場合、構成・理論の本質を１００％正しく、洩れ無く、付加無く感知・思考・理解・構成・使用する必要があります。そして、これを、実現するには、先ず、基本的な事項を正確に理解してから、詳細な事項を検討する必要が在ります。この事は、経験によると、詳細な事項を検討するだけでは、観測出来ない物象が対象ですから、物的証拠が無く、方向付けの正否を確かめる比較対象が無く、正否の判断基準が無いので、正しい方向に向かっているか否かが判らないから必要なのです。実際の研究を正しく行うには、研究対象とよく似た複数の物象を見付けて、並行して、取り扱う必要があります。観測出来ない部分を含む流体の研究の場合は、流体の基本を理解する為の最小複合粒子、約３６種類の宇宙の構成要素、自転、万有引力、静電気、万有斥力、比較対象としての光、電力、電磁波などです。これ等を理解し、実用に成功すると、宇宙の総てが、極めて巧妙に・単純・必然的に・統一して出来ている事が、判り、人類が、豊かで、平和で、幸せに暮らせるように、神様が、宇宙を、極めて巧妙に・単純・必然的に・統一して構成されている事が判ります。これ等を理解・使用して、人類と、地球とを、豊かで、平和で、幸せにする事が、宇宙創造の神様に対する、人類の義務・責任です。特願２００６−１３２０と、本発明とが、そのスタートです。
【００２３】
１）気体を使用する流体機器の基本的な事項：
１  第1世代の自然科学では：
第1世代の自然科学は、宇宙に充満する最小複合粒子と、最小複合粒子が構成        する約３６種類の宇宙の構成要素とを見落としており、宇宙は、不平衡エネルギ        で構成され、一方向に変化するとしているので、最小複合粒子と、最小複合粒子        が構成する約３６種類の宇宙の構成要素とに基づき、平衡流動エネルギを使用す        る本発明の理解・実用は、不可能です。
【００２４】
２  第2世代の自然科学では：
「１」宇宙は、宇宙に充満する最小複合粒子と、最小複合粒子が構成する約３６種類の宇宙の構成要素とで構成されているので、宇宙の総ての物質・エネルギ・現象は、上記の両者で構成されており、平衡流動エネルギである複合波動エネルギに基づく第2種永久運動であるとする第2世代の自然科学を使用すると、本発明が、実現します。
【００２５】
「２」特に、前述の、平衡流動エネルギであり複合波動エネルギである気体の流れに必要な境界条件その1、その2、その3を満たした流体機器内の平衡流動状態の気体の流れは、気体の流れ跡空間埋め合わせ現象によって流れ、流れの各垂直断面毎に、独立して、別個に、同じ大きさで存在し、共通する流体の同じ全質量に対応して同じ大きさで作用する宇宙の3次元万有引力基礎エネルギ源の場が、流れ跡空間埋め合わせ現象による気体の流れの加速度運動の作用で歪み量を発生・維持し、この歪み量を気体の運動エネルギとして供給する事により、気体の正規の波動エネルギと、正規の波動エネルギの流れ跡空間埋め合わせ現象に随伴して発生する随伴・重複波動エネルギとの2種類の波動エネルギの組み合せである複合波動エネルギを発生します。そして、この複合波動エネルギは、一方の波動エネルギで流量を維持し、他方の波動エネルギで、外部に対する仕事をするので、本発明と、本発明以外の従来は不可能と考えられていた多くの新技術を可能にします。
【００２６】
２）気体を使用する流体機器の詳細な事項：
詳細な事項は、請求項１、２に記載のように多数存在しますが、宇宙の総てが、      単純・必然的に、統一して構成されているので、本発明の基本的な構成は、下記の      ように、比較的に、単純に成ります、
１  図1に示す基本構成を使用する、
２  図2の素材を、図3に基づいて加工した、複合波動エネルギ発生用の回転羽根を使用する、
３  請求項2に記載のように、回転羽根３は、流れ跡空間埋め合わせ現象に基づく空気の流れを発生・維持・作用させる事により、回転羽根の各垂直断面を単位時間に通過する空気の質量が同じになり、螺旋状に回転しながら流れる空気の流れが、回転羽根の各面に、ほぼ垂直に作用し、且つ、各垂直断面を単位時間に通過する空気の波動エネルギが等しくなるように、各垂直断面積と、羽根の各位置の偏向角度とが計算・構成されています、
本発明は、第2種永久運動を利用する流体機器の中で、構成・理論が最も簡単        で、圧縮・膨張する空気を使用するので、通常の加工精度で充分ですが、特願２        ００６−１３２０は、構成・理論が最も複雑で、非圧縮性の水を使用するので、        構成・理論だけでは無く、加工精度が良い事が、必要条件になっている最も困難        な新技術です。
（２）発明の実施の形態：
１）全体構成：
図1に、全体構成を示します。図1において、１は円錐台型の圧縮部、２は円錐        台型の膨張部、３は複合波動エネルギ発生用の回転羽根、４は羽根、5は軸、６は      モータ、７は軸受です。
【００２７】
２）複合波動エネルギ発生用の回転羽根３の加工方法：
１  素材の加工：
図２に示す黄銅製の素材を加工する、
２  羽根の加工方法：
「１」  図3に示すように、素材を多軸旋盤のθ軸に同軸に取り付ける、
「２」  多軸旋盤の刃をＺ軸に同軸に取り付ける、
「３」  仮想円柱８を設定する、
「４」  仮想円柱８に接する仮想平面ＡＢＣを設定する、
「５」  Ｘ軸、Ｙ軸を制御して、刃を、仮想平面ＡＢＣ上の円弧ＢＣに沿って移動      させる、
「６」  θ軸の素材を、θ軸方向に、一定速度で、その全長分を移動させる間に、      θ軸を、一定角速度で所要角度だけ回転させる、
「７」  羽根の面は、全位置で、軸に垂直になる、
「８」  羽根は、１８０度間隔の２枚羽根とする。羽根の枚数は、少ない方が良        い、
３  回転羽根の形状：
流入口の偏向角度は４５度、流出口の偏向角度は２０度、偏向角度は、円形を基      準にして変化しています、
（３）羽根の構成・作用：
羽根の作用が必要条件を満たすようになるのは、前述のように、空気が、流体機器    全体で、流れ跡空間埋め合わせ現象により、回転羽根の回転と一体になって流れる場    合に限ります。流体機器内の空気が、流れ跡空間埋め合わせ現象で流れ、回転羽根の    回転と一体になって流れるようにする境界条件は、流体機器の構成・理論と、回転羽    根の構成・理論との組み合せですが、その条件の構成・理論の組み合わせは、偶然や    実験で理解出来る条件ではなく、その条件の構成・理論の組み合わせを、宇宙の総て    の構成・理論と、統一して検討して、初めて理解できる、構成・理論です、
１  空気が、流れ跡空間埋め合わせ現象で流れるようになると、
（ａ）気体は、羽根の面に垂直に作用しながら流れ、この垂直方向の作用は、羽根の偏      向角度により、軸方向ｓｉｎ相の波動エネルギと、回転方向ｃｏｓ相の波動エネル      ギとに別れます、
（ｂ）ｓｉｎ相、ｃｏｓ相の波動エネルギは、９０度位相が異なる加速度変化をする事      により、夫々が、宇宙の基礎エネルギ源からエネルギの供給を受ける第2種永久運      動になります、
（ｃ）更に、９０度位相が異なるので、ｓｉｎ相＋ｃｏｓ相＝一定の複合波動エネルギ      が構成されます。
【００２８】
（ｄ）尚、垂直方向が、軸方向と、回転方向とに分かれるのは、この2方向に分かれな      いと、宇宙の総てと、流体機器の内壁と、回転羽根の面と、3次元方向に釣り合っ      て、宇宙の基礎エネルギ源の場がエネルギ源として作用出来ないからです、
（ｅ）その結果、流体機器内の空気のエネルギは、空気の質量と、大気圧と、宇宙の3      次元万有引力基礎エネルギ源の場とをエネルギ源として、流体機器の流路の各垂直      断面毎に、独立して、別個に、発生・維持・作用します、
２  上記を成立させるには、
（ａ）図1の全体構成を満たして、大気圧と、宇宙の基礎エネルギ源とを3次元方向に        釣り合わせ、
（ｂ）図3の複合波動エネルギ発生用の回転羽根を使用し、
（ｃ）空気が、流れ跡空間埋め合わせ現象で流れるように、流体機器の各垂直断面を単      位時間に通過する、空気の質量と、空気の複合波動エネルギとを一定にし、空気の      流れが、回転羽根に垂直に作用し、回転羽根と一体になって回転するように、各垂      直断面積と、回転羽根の各位置の偏向角度とを計算・構成します。
（３）発明の構造・動作の説明：
１）冷房装置全体の構造・動作の説明：
図1、図4に基づいて説明します、
１  図1において、圧縮部1の入口の回転羽根３の偏向角度を４５度、圧縮部1の        出口の回転羽根３の偏向角度を２０度、圧縮部1の入口と、膨張部２の出口の直        径を約５１ｍｍ、圧縮部１と膨張部２との接続部の直径を約４１ｍｍ、圧縮部1        の長さと、膨張部2の長さとを約１５０ｍｍ、モータの回転数を約３０００ｒｐ        ｍとします。
【００２９】
２  図１を室内に設置すると、圧縮部１の入口と、膨張部２の出口と、装置内部と        の空気には、地球の万有引力による大気圧が３次元方向に釣り合って作用し、且        つ、これまでは知られていない宇宙の3次元万有引力基礎エネルギ源の場と、宇        宙の電磁力基礎エネルギ源の場とが3次元方向に釣り合って作用して、平衡状態        で存在しています。そして、回転羽根３を回転させて、これ等の場の平衡状態を        歪ませると、装置内の空気は、全体が同時に、各垂直断面毎に、独立して、別個        に、回転羽根3の回転に作用されて、３次元方向の釣り合いを維持しながら流れ        、その流れに応じて場の平衡状態を歪ませ、これ等の場の歪み量が、流量を維持        する軸方向の空気の運動エネルギと、温度を変化させずに空気を回転・圧縮する        回転方向のエネルギと、空気の熱エネルギを運動エネルギに変え空気の温度を下        げながら空気を膨張させるエネルギとのエネルギ源になります。
【００３０】
３  この場合、装置内の空気に発生・作用する空気の流れのエネルギは、これまで        は知られていない平衡流動エネルギであり第２種永久運動である複合波動エネル        ギです。
【００３１】
４  この場合、回転羽根3は、図4に示す状態で回転します。回転羽根3を通過す        る空気は、大気圧と宇宙の基礎エネルギ源の場とが、空気に、3次元方向に釣り        合って作用している事と、回転羽根３の偏向角度の変化の仕方と、回転羽根3の        各垂直断面を単位時間に通過する空気の質量が総て等しい事とにより、回転羽根        3の表面の各位置では、羽根４に作用する空気の流れの全力Ｐは、全位置で、図        4に示すように、羽根４の裏・表を、垂直方向に、引いて・押しています。
【００３２】
５  この場合、3次元方向に釣り合った状態で作用している大気圧は、大気圧を維        持して、一定の大気圧としてのみ単純に作用します。宇宙の3次元万有引力基礎        エネルギ源の場は、3次元方向に釣り合って流れている空気の質量の加速度運動        に対応する場の歪み量を発生し、この歪み量を、その空気の運動エネルギとして        、その空気に供給します。そして、装置内の空気は次第に、波動エネルギの回転        方向成分によって圧縮されますが、装置内を流れる空気の質量は同じ一定量なの        で、複合波動エネルギ発生用の回転羽根３の各垂直断面に作用する空気の全力Ｐ        の総量は、総て、一定です。宇宙の3次元万有引力基礎エネルギ源の場の歪み量        の大きさは、基礎エネルギ源の場側が決めるのではなく、エネルギを受ける空気        側が決めるのです。自然界の現象は、完全に、民主化されています、そして、エ        ネルギを供給する基礎エネルギ源側も、エネルギの供給を受ける物質・エネルギ        ・現象側も、最優先基本法則「完全分業体制・完全談合体制・争い０体制」に完        全に従っています。人類が、第2世代の自然科学を利用して、豊かで、平和で、        幸せに成る為には、人類は、人類社会のグローバル化を、前述のように、完全に        民主化して、「完全分業体制・完全談合体制、争い０体制」に従って行い、「自        立・共生」に努力する必要があります。
【００３３】
６  本発明の装置では、空気は、螺旋状に回転しながら流れますが、その力は、直        接に、螺旋状に作用する事は出来ず、図4に示すように、空気の流れの方向と、        流路の壁と、回転羽根３の面との間で３次元方向に釣り合い得る、軸方向の力Ｘ        ＝Ｐ×ｓｉｎαと、回転方向の力Ｙ＝Ｐ×ｃｏｓαとに、分かれて作用します。      
【００３４】
当然、流路は、この条件を満たすように設計します。Ｐは一定ですが、軸方向の        力Ｘと回転方向の力Ｙとは、羽根４の偏向角度αによって、ｓｉｎ相の加速度変        化と、ｃｏｓ相の加速度変化とをします。従って、大気圧と宇宙の3次元万有引        力基礎エネルギ源の場とは、これ等の加速度変化により、一定量の全力Ｐを構成        する圧力エネルギと運動エネルギとを、自然のエネルギとして安定して供給出来        ます。この現象を理解すると、自然界、人為界の空気や水の流れの総てを、正し        く、理解出来ます。自然界、人為界の空気や水の流れは、人間が知る、知らない        に関係なく、本発明の上記の構成・理論と、その応用とで、流れています。
【００３５】
７  図1、図4において、図4の軸方向の力Ｘは、図1の装置内の流路に、大気圧        と、宇宙の3次元万有引力基礎エネルギ源の場の歪み量との軸方向回路Ｘを構成        します。この大気圧と歪み量との軸方向回路Ｘは、回転羽根３が存在する部分の        みは人為エネルギで構成されますが、その他の部分は、総て、大気圧と基礎エネ        ルギ源から供給される自然のエネルギで構成されます。図４の回転方向の力Ｙは          、図1の装置内の流路の全垂直断面内の全回転回路に、大気圧と宇宙の3次元万        有引力基礎エネルギ源の場の歪み量との回転回路Ｙを構成します。この圧力と歪        み量との回転回路Ｙでは、総てが回転加速度を伴う回転であり、総てが流れ跡空        間埋め合わせ現象で構成されるので、総てが、大気圧と基礎エネルギ源とから供        給される自然のエネルギです。モータ６の負荷は小さくなります。
【００３６】
８  上記によれば、宇宙創造の神様は、宇宙に充満しているが微細過ぎて観測出来        ない最小複合粒子と、最小複合粒子が構成する約３６種類の宇宙の構成要素との        作用で、3次元方向に釣り合う宇宙の基礎エネルギ源を構成し、宇宙の物質・エ        ネルギ・現象の総てを、この3次元方向に釣り合う宇宙の基礎エネルギ源から供        給される平衡流動エネルギである複合波動エネルギで、第2種永久運動として構        成出来るように配慮して、宇宙を単純・必然的に・統一して創造されています。      
【００３７】
即ち、神様は、直径数百億光年以上の宇宙に、最小複合粒子を充満させて置けば        、放って置いても、現在の宇宙が出来、現在の宇宙が永久に存続するように配慮        して、宇宙を構成されています。
【００３８】
９  しかし、これまでは、人類は、観測出来ない最小複合粒子と、約３６種類の宇        宙の構成要素とを理解出来なかったので、宇宙の基礎エネルギ源を使用した第2        種永久運動を実用化出来ずにおりました。従来の第1世代の自然科学は、観測出        来る範囲の物象を観測し、その観測結果を数学解析する手法で、観測出来る範囲        の物象の観測結果に基づいて、実験式、又は、近似計算式を作って、観測出来る        範囲の物象を利用して、進歩・発展して来ました。そして、第1世代の自然科学        は、実在する宇宙の構成要素を多数脱落させているので、謎に満ちた状態になっ        ています。説明出来ない観測結果が、多数、存在します。
【００３９】
１０  第2世代の自然科学は、人類が観測出来ない最小複合粒子と、約３６種類の宇        宙の構成要素とを感知・思考・理解・構成・使用する事により、宇宙の物質・エ        ネルギ・現象の総てが、3次元方向に釣り合う宇宙の基礎エネルギ源からエネル        ギの供給を受ける平衡流動エネルギである複合波動エネルギに基づく第2種永久        運動である事を、詳細に、理解出来るようになりました。しかし、第2世代の自        然科学は、観測出来ない物象に基づいて構成されており、説明に使用出来る物的        証拠が無いので、他人に説明する事が出来ずにいました。最近になって、第2世        代の自然科学の作業が進み、他人に説明出来る状態になりました。本発明は、説        明出来るようになった第1号です。
【００４０】
１１  第2世代の自然科学を使用する場合には、前述のように、最小複合粒子、最小        複合粒子が構成する約３６種類の宇宙の構成要素、最小複合粒子が構成する宇宙        の基礎エネルギ源、宇宙の基礎エネルギ源が作用する境界条件、上記の４者が構        成する平衡流動エネルギであり複合波動エネルギである第2種永久運動、宇宙の        総ての物質・エネルギ・現象が、上記の第2種永久運動として構成される機構・        理論、原子内核力・原子間結合力の機構・理論、宇宙の構成・理論、素粒子の構        成・理論、流体力学の構成・理論、各種の力やエネルギ、即ち、万有引力、光、        電流、電圧、電力、電磁波、電界、磁界、力、圧力、熱、万有斥力、質量、電荷        、静電気、素粒子の容積の構成・理論、宇宙のエネルギ機構の構成・理論などを        、或るレベルまで理解する必要があります。これ等を理解してから、第2世代の        自然科学を使用するのが正道ですが、これは、時間が掛かり過ぎるので競争に負        けます。競争に勝つには、信じて、実用する事です。本発明は、信じて、直ぐに        、実用出来るように、この明細書を書いています、ノウハウ契約して、ノウハウ        を聞いて読めば、実用出来るようになっています。
【００４１】
１２  室内に設置して、回転羽根３を回転している本発明の実施の形態の冷房装置で        は、上記により、室内の空気が、圧縮部１の入口から入り、膨張部2の出口から        出ます。理論計算によると、通過する空気の体積は、１気圧で示すと約１０．３        リットル／秒ですが、圧縮部１の出口では、約５．５気圧になり、約１．８６リ        ットル／秒になります。
【００４２】
１３  本発明の実施の形態の冷房装置では、上記・下記により、室内の空気を、1気        圧で計算して毎秒約１０．３リットルの処理量で、自由圧縮で、温度を変化させ        ないで、約５．５気圧まで圧縮・昇圧し、これを1気圧まで断熱膨張させ、温度        を下げて、冷房する事が出来ます。装置の構造を変えれば、３０気圧位まで圧縮        ・昇圧出来ます。
【００４３】
１４  圧縮部１のエネルギ機構：
前述のように、宇宙の基礎エネルギ源は、変化を残さずに、可逆的に、永久に        作用し続ける為に、正・負逆方向のエネルギを、同時に作用させる事はありませ        ん。圧縮部１は、円錐台型なので、複合波動エネルギ発生用の回転羽根3の回転        により、空気は、強制的に、圧縮されて流れます。圧縮部１内の空気に存在する        自然のエネルギは、大気圧と、宇宙の3次元万有引力基礎エネルギ源の場と、宇        宙の電磁力基礎エネルギ源の場に基づく万有斥力とですが、作用するのは、大気        圧と、宇宙の3次元万有引力基礎エネルギ源の場とであり、上記の結果が得られ        ます。
【００４４】
１５  膨張部2のエネルギ機構：
膨張部２は、円錐台型なので、内部の高圧の空気は、その高圧で、膨張し、熱        エネルギを運動エネルギに変えて、温度を下げて、流れ出ます。膨張部２内の空        気に存在する自然のエネルギは、大気圧と、宇宙の3次元万有引力基礎エネルギ        源の場と、宇宙の電磁力基礎エネルギ源の場に基づく万有斥力とですが、上記１        ４と同じ理由で、作用するのは、宇宙の3次元万有引力基礎エネルギ源の場と万        有斥力とであり、上記の結果が得られます。
【００４５】
１６  全体のエネルギ機構：
全体を纏めると、（ａ）モータ６による回転羽根３の回転で、室内の空気を圧        縮部1内に吸入し、（ｂ）モータ６の回転と圧縮部１の形状と大気圧の作用と宇        宙の基礎エネルギ源の作用とで、空気を室温で圧縮・昇圧し、（ｃ）室温で圧縮        ・昇圧した空気が有する万有斥力を、膨張部２の形状と宇宙の基礎エネルギ源の        場の作用とで、運動エネルギに変え、空気の温度を下げて流出させ、冷房すると        同時に、冷房装置内の空気の流量を、流出する空気の流れ跡空間埋め合わせ現象        の作用で維持しています。
【００４６】
１７  万有斥力の構成・動作の解析：
説明に使用出来る物的証拠が無いので、具体的に書きます。
【００４７】
（ａ）冷房装置内の空気の流れと、室温３５度Ｃ、1気圧の空気：
図1に示す冷房装置内では、空気の流れは、複合波動エネルギ発生用の回転          羽根３が発生する流れ跡空間埋め合わせ現象と空気の質量と大気圧と宇宙の3          次元万有引力基礎エネルギ源の場とに基づく平衡流動エネルギである複合波動          エネルギで構成されます。従って、冷房装置内の各垂直断面を単位時間に通過          する空気の複合波動エネルギは総て同じに成ります。従って、圧縮部1内の空          気は、複合波動エネルギの作用で圧縮されるので、圧縮には、外部からのエネ          ルギは不要です。室温３５度Ｃの空気分子を構成する最小複合粒子は、３５度          Ｃに対応する回転数で自転しています。最小複合粒子には、この自転に対応す          る負静電気が発生し、空気分子は、負に帯電し、この帯電が、相互間で作用す          る万有斥力を構成します。そして、この万有斥力が、1気圧と釣り合います。      
【００４８】
（ｂ）圧縮部1内で、５．５気圧に圧縮・昇圧する場合：
５．５気圧になると、空気の密度が重なって５．５倍になるので、万有斥力          も重なって５．５倍に成り、３５度Ｃを変化する事なく、５．５気圧に釣り合          います。従って、圧縮部内の空気は、回転羽根3の回転で、温度変化なしに、          圧縮されて、３５度Ｃ、５．５気圧に昇圧します。これは、昔、ジュールが実          験した、気体は、真空中には、温度を変化させずに膨張すると言う自由膨張の          逆現象です。空気のエネルギは平衡流動エネルギである波動エネルギなので、          逆流・循環が可能です。この逆流は、作用・反作用に基づく基本的な性質なの          で、そのための条件さえ揃えれば、他の条件が整わなくても、実験で、確認出          来ます。
【００４９】
（ｃ）膨張部2内で、熱エネルギを運動エネルギに変えて、温度を低下し、５．５            倍に膨張して、1気圧に減圧する場合：
図1に示す冷房装置では、膨張部2内で、空気を膨張させるエネルギは、５          ．５気圧の空気の万有斥力の消費しかありません。上記（ａ）に記載の万有斥          力の消費は、温度を低下する事です。従って、３５度Ｃで５．５気圧の空気は          、３５度Ｃの温度を低下して万有斥力を消費する事により、５．５倍に膨張し          、1気圧まで低下して、流出します。この時の流出の速度が、冷房装置内の空          気を、流れ跡空間埋め合わせ現象で流すので、本発明が成立します。若し、第          2世代の自然科学が、世の中に普及していれば、本発明の説明は、本項１７：          万有斥力の構成・動作の解析だけで、終了するのです。第2世代の自然科学は          、既に、広い範囲で膨大に成っており、普及すれば、加速的に、増大し、変化          し、進化します。従来の第1世代の自然科学における流体の分野の理論は、何          百年も前の理論が、そのままで、残っています。
【産業上の利用可能性】
【００５０】
本発明は、第2世代の自然科学に基づいて、宇宙の基礎エネルギ源の場の作用を利用して、冷媒を使用せず高温排気が無い冷房装置を実用化出来るので、環境を改善し、エネルギの使用量を減少し、地球温暖化を防止します。
【００５１】
現状における、第2世代の自然科学の産業上の利用可能性は、次のように成ります。
【００５２】
「１」  第1世代の自然科学の観測結果に、第2世代の自然科学でないと判らない観測の    偏りが在り、その為に間違いが多い、宇宙物理学、素粒子物理学、流体力学の分野：      これ等の3分野では、観測結果の偏りによる間違いと、最小複合粒子と約３６種類    の宇宙の構成要素との脱落による間違いとが重なるので、基本論・各論共に、全体の    書き直しが必要です。現在は、定性的な書き直しを終えた段階です。定量化が必要で    す。そして、書き直しが終わると、総てが、第2世代の自然科学の基礎に成り、人類    と地球とを進歩・発展させるエネルギ源に成ります。特に、流体力学は、人類が使用    する、殆んど総てのエネルギを、宇宙の基礎エネルギ源の場に基づく第2種永久運動    で賄い得るようにします。特願２００６−１３２０と、本発明とが、その実例です。      
【００５３】
「２」  総ての現象が、無条件に、平衡流動エネルギの複合波動エネルギに成っている    エレクトロニクス分野：
（ａ）電荷の構成と、電荷の導電機構：
エレクトロニクス現象は、人間の生体現象を含めた、宇宙の総ての物質・エネル      ギ・現象の基本に成っているので、電荷の構成と、電荷の導電機構とは極めて巧妙      に出来ています。そして、導電体になるのは、金属に限らず、無機物でも、有機物      でも、生体でも、可能であり、それ等の導電機構は、単純・必然的に・統一されて      おり、導電体を傷める事が無いように成っています。但し、電荷の構成と、導電機      構とが、従来の概念と異なり過ぎるので、電荷の構成と、導電機構の構成とを検討      するに必要な観測データが、現在、皆無です。この分野を発展させるには、必要な      観測データを揃える事から始める必要があります。但し、この分野を発展させれば      、宇宙の総てを利用出来るようになります。
【００５４】
（ｂ）導電素材の開発と、導電機構の開発と、発光機構の開発との組み合せ：
金属、無機物、有機物、生体の順に、導電素材の開発、導電機構の開発を行う必      要がありますが、間違いの無い、正しい開発を、効率良く行うには、4種の開発を      、並行して、行う必要があります。これ等の分野の発展は、広い範囲の自然科学の      発展に繋がります。
【００５５】
「３」  有機化学の分野
観測出来る範囲の観測データが揃っているので、原子内核力、原子間結合力に関す    る第2世代の自然科学が、一応、完成しています。特願２００６−１６０５４５に具    体化しています。
【図面の簡単な説明】
【００５６】
【図１】本発明の全体構成を示す図である、
【図２】回転羽根の加工前の素材を示す図である、
【図３】複合波動エネルギ発生用の回転羽根の加工図である、
【図４】回転羽根の機能を示す図である、
【図５】最小複合粒子の構造・組成を示す図である。
【符号の説明】
【００５７】
１  圧縮部
２  膨張部
３  複合波動エネルギ発生用の回転羽根
４  羽根
５  軸
６  モータ
７  軸受
８  仮想円柱
Ｘ  Ｘ軸、又は、軸方向の力
Ｙ  Ｙ軸、又は、回転方向の力
Ｚ  Ｚ軸
θ  θ軸
ＡＢＣ  仮想平面
ＡＢ  円弧
α  偏向角度
Ａ  最小複合粒子
Ｂ  線対称軸
Ｃ１  Ｃ２  質量素片
Ｄ１  正電気素片
Ｄ２  負電気素片
【図１】
2009144941.tif 000003
【図２】
2009144941.tif 000004
【図３】
2009144941.tif 000005
【図４】
2009144941.tif 000006
【図５】
2009144941.tif 000007